(57)【特許請求の範囲】
【請求項１】
ステーション(STA)が属するマルチキャストグループのマルチキャスト識別子(ID)を決定するステップと、
前記STAが属するマルチキャストグループのマルチキャストIDを少なくとも2つのアソシエーション識別子(AID)におけるブロックおよびサブブロックにマッピングするステップと、
マッピングされた前記マルチキャストグループのマルチキャストIDを前記STAに送信するステップと、
を有するマルチキャスト識別子送信方法。
【請求項２】
マッピングされた前記マルチキャストグループのマルチキャストIDを前記STAに送信する前記ステップは、
前記STAが属するマルチキャストグループのマルチキャストIDを管理フレームまたは制御フレームにカプセル化し、前記フレームを前記STAに送信するステップ、または、
新たな情報要素(IE)を既存の管理フレームまたは既存の制御フレームまたは既存のデータフレームに追加し、前記STAが属するマルチキャストグループのマルチキャストIDを前記新たなIEにカプセル化し、前記既存の管理フレームまたは既存の制御フレームまたは既存のデータフレームを前記STAに送信するステップ
を有する請求項１に記載のマルチキャスト識別子送信方法。
【請求項３】
マッピングされた前記マルチキャストグループのマルチキャストIDを前記STAに送信する前記ステップは、
前記STAによって送信される前記マルチキャストIDを要求するための情報を受信するステップと、
前記マルチキャストIDを要求するための情報に従って、前記STAが属するマルチキャストグループのマルチキャストIDを前記STAに送信するステップと、
を有する請求項２に記載のマルチキャスト識別子送信方法。
【請求項４】
前記STAによって送信される前記マルチキャストIDを要求するための情報を受信する前記ステップは、
前記STAによって送信される要求メッセージを受信するステップであって、前記要求メッセージは前記マルチキャストIDを要求するための情報を含む、ステップ、または、
前記STAによって送信される既存の制御フレームまたは既存の管理フレームまたは既存のデータフレームを受信するステップであって、前記既存の制御フレームまたは既存の管理フレームまたは既存のデータフレームにおける新たな情報要素(IE)は前記マルチキャストIDを要求するための情報を含む、ステップ
を有する請求項３に記載のマルチキャスト識別子送信方法。
【請求項５】
マッピングされた前記マルチキャストグループのマルチキャストIDを前記STAに送信する前記ステップの後に、
マルチキャストID登録抹消メッセージを前記STAに送信するステップであって、前記マルチキャストID登録抹消メッセージは前記STAが属するマルチキャストグループのマルチキャストIDを登録抹消する登録抹消指示を含む、ステップ
を有する請求項４に記載のマルチキャスト識別子送信方法。
【請求項６】
ステーション(STA)により、前記STAが属するマルチキャストグループのマルチキャスト識別子(ID)を無線アクセスポイント(AP)から受信するステップであって、前記STAが属するマルチキャストグループのマルチキャストIDは少なくとも2つのアソシエーション識別子(AID)におけるブロックおよびサブブロックにマッピングされる、ステップと、
前記STAにより、前記STAが属するマルチキャストグループのマルチキャストIDを記録するステップと、
を有するマルチキャスト識別子受信方法。
【請求項７】
ステーション(STA)により、前記STAが属するマルチキャストグループのマルチキャスト識別子(ID)を無線アクセスポイント(AP)から受信する前記ステップは、
前記STAにより、前記APによって送信される管理フレームまたは制御フレームを受信するステップであって、前記管理フレームまたは制御フレームは前記STAが属するマルチキャストグループのマルチキャストIDを含む、ステップ、または、
前記STAにより、前記APによって送信される既存の管理フレームまたは既存の制御フレームまたは既存のデータフレームを受信するステップであって、前記既存の管理フレームまたは既存の制御フレームまたは既存のデータフレームにおける新たな情報要素(IE)は前記STAが属するマルチキャストグループのマルチキャストIDを含む、ステップ
を有する請求項６に記載のマルチキャスト識別子受信方法。
【請求項８】
ステーション(STA)により、前記STAが属するマルチキャストグループのマルチキャスト識別子(ID)を無線アクセスポイント(AP)から受信する前記ステップは、
前記STAにより、前記マルチキャストIDを要求するための情報を前記APに送信するステップと、
前記STAにより、前記STAが属するマルチキャストグループのマルチキャストIDを受信するステップであって、前記マルチキャストIDは前記マルチキャストIDを要求するための情報に従って前記APによって送信される、ステップと、
を有する請求項６に記載のマルチキャスト識別子受信方法。
【請求項９】
前記STAにより、前記マルチキャストIDを要求するための情報を前記APに送信する前記ステップは、
前記STAにより、前記マルチキャストIDを要求するための情報を要求メッセージにカプセル化し、前記要求メッセージを前記APに送信するステップ、または、
前記STAにより、新たな情報要素(IE)を既存の制御フレームまたは既存の管理フレームまたは既存のデータフレームに追加し、前記マルチキャストIDを要求するための情報を前記新たなIEにカプセル化し、前記既存の制御フレームまたは既存の管理フレームまたは既存のデータフレームを前記APに送信するステップ
を有する請求項８に記載のマルチキャスト識別子受信方法。
【請求項１０】
無線アクセスポイント(AP)であって、
ステーション(STA)が属するマルチキャストグループのマルチキャスト識別子(ID)を決定するように構成された決定モジュールであって、前記STAが属するマルチキャストグループのマルチキャストIDは少なくとも2つのアソシエーション識別子(AID)におけるブロックおよびサブブロックにマッピングされる、決定モジュールと、
マッピングされた前記マルチキャストグループのマルチキャストIDを前記STAに送信するように構成された第１０送信モジュールと、
を備えるAP。
【請求項１１】
前記第１０送信モジュールは、特に、前記STAが属するマルチキャストグループのマルチキャストIDを管理フレームまたは制御フレームにカプセル化し、前記フレームを前記STAに送信するように構成され、または、
前記第１０送信モジュールは、特に、新たな情報要素(IE)を管理フレームまたは制御フレームまたはデータフレームに追加し、前記STAが属するマルチキャストグループのマルチキャストIDを前記新たなIEにカプセル化し、前記管理フレームまたは制御フレームまたはデータフレームを前記STAに送信するように構成された請求項１０に記載のAP。
【請求項１２】
前記STAによって送信される前記マルチキャストIDを要求するための情報を受信するように構成された第１０受信モジュールをさらに備え、
前記第１０送信モジュールは、特に、前記マルチキャストIDを要求するための情報に従って、前記STAが属するマルチキャストグループのマルチキャストIDを前記STAに送信するように構成された請求項１１に記載のAP。
【請求項１３】
前記第１０受信モジュールは、特に、前記STAによって送信される要求メッセージを受信するように構成され、前記要求メッセージは前記マルチキャストIDを要求するための情報を含む、または、
前記第１０受信モジュールは、特に、前記STAによって送信される既存の制御フレームまたは既存の管理フレームまたは既存のデータフレームを受信するように構成され、前記既存の制御フレームまたは既存の管理フレームまたは既存のデータフレームにおける新たな情報要素(IE)は前記マルチキャストIDを要求するための情報を含む請求項１２に記載のAP。
【請求項１４】
前記第１０送信モジュールが、前記STAが属するマルチキャストグループのマルチキャストIDを前記STAに送信した後に、マルチキャストID登録抹消メッセージを前記STAに送信するように構成された第１２送信モジュールであって、前記マルチキャストID登録抹消メッセージは前記STAが属するマルチキャストグループのマルチキャストIDを登録抹消する登録抹消指示を含む、第１２送信モジュールをさらに備える請求項１３に記載のAP。
【請求項１５】
ステーション(STA)であって、
前記STAが属するマルチキャストグループのマルチキャスト識別子(ID)を無線アクセスポイント(AP)から受信するように構成された第１４受信モジュールであって、前記STAが属するマルチキャストグループのマルチキャストIDは少なくとも2つのアソシエーション識別子(AID)におけるブロックおよびサブブロックにマッピングされる、第１４受信モジュールと、
前記STAが属するマルチキャストグループのマルチキャストIDを記録するように構成された記憶モジュールと、
を備えるSTA。
【請求項１６】
前記第１４受信モジュールは、特に、前記APによって送信される管理フレームまたは制御フレームを受信するように構成され、前記管理フレームまたは制御フレームは前記STAが属するマルチキャストグループのマルチキャストIDを含む、または、
前記第１４受信モジュールは、特に、前記APによって送信される既存の管理フレームまたは既存の制御フレームまたは既存のデータフレームを受信するように構成され、前記既存の管理フレームまたは既存の制御フレームまたは既存のデータフレームにおける新たな情報要素(IE)は前記STAが属するマルチキャストグループのマルチキャストIDを含む請求項１５に記載のSTA。
【請求項１７】
前記マルチキャストIDを要求するための情報を前記APに送信するように構成された第１３送信モジュールをさらに備え、
前記第１４受信モジュールは、特に、前記STAが属するマルチキャストグループのマルチキャストIDを受信するように構成され、前記マルチキャストIDは前記マルチキャストIDを要求するための情報に従って前記APによって送信される請求項１５に記載のSTA。
【請求項１８】
前記第１３送信モジュールは、特に、前記マルチキャストIDを要求するための情報を要求メッセージにカプセル化し、前記要求メッセージを前記APに送信するように構成され、または、
前記第１３送信モジュールは、特に、新たな情報要素(IE)を既存の制御フレームまたは既存の管理フレームまたは既存のデータフレームに追加し、前記マルチキャストIDを要求するための情報を前記新たなIEにカプセル化し、前記既存の制御フレームまたは既存の管理フレームまたは既存のデータフレームを前記APに送信するように構成された請求項１７に記載のSTA。
【請求項１９】
前記第１４受信モジュールが、前記STAが属するマルチキャストグループのマルチキャストIDを受信した後に、前記APによって送信されるマルチキャストID変更メッセージを受信するように構成された第１５受信モジュールであって、前記マルチキャストID変更メッセージは前記STAが属するマルチキャストグループの変更されたマルチキャストIDを含む、第１５受信モジュールと、
前記マルチキャストID変更メッセージに含まれる、前記STAが属するマルチキャストグループの変更されたマルチキャストIDに従って、前記STAが属するマルチキャストグループのマルチキャストIDを更新するように構成された第２更新モジュールと、
をさらに備える請求項１８に記載のSTA。
【請求項２０】
前記第１４受信モジュールが、前記STAが属するマルチキャストグループのマルチキャストIDを受信した後に、前記APによって送信されるマルチキャストID登録抹消メッセージを受信するように構成された第１６受信モジュールであって、前記マルチキャストID登録抹消メッセージは前記STAが属するマルチキャストグループのマルチキャストIDを登録抹消する登録抹消指示を含む、第１６受信モジュールをさらに備える請求項１９に記載のSTA。
【発明の詳細な説明】
【技術分野】
【０００１】
本発明は、通信技術に関し、特にマルチキャスト情報送信方法および装置に関する。
【背景技術】
【０００２】
802.11ahのアプリケーションシナリオにおいて、6000までのセンサステーション（Station、略してSTA）をサポートできる。例えば、STAは、水量メーター、電気メーター、またはガスメーターそれぞれについて設定され得る。水量メーター、電気メーター、またはガスメーターは、同じまたは異なる水の小売業者、電気の小売業者、およびガスの小売業者に属し得る。同じまたは異なる水の小売業者、電気の小売業者、およびガスの小売業者は、無線アクセスポイント（Access Point、略してAP）を通して、同じまたは異なる周期で、水量メーター、電気メーター、およびガスメーターそれぞれに情報を送信し得る、または、要求されるときはいつでも、水量メーター、電気メーター、およびガスメーターを更新し得る。上記のアプリケーションシナリオは、802.11ahのシナリオにおいて、各々のAPが異なる周期および異なる内容のマルチキャスト情報を異なるSTAに送信する必要があることを示す。
【０００３】
先行技術において、STAは、最初に、通常モードで動作する。通常動作モードにおいて、STAは、配送トラフィック指示マップ（Delivery Traffic Indication Map、略してDTIM）を含む各々のビーコンフレーム（英語：Beacon）を受信する。DTIMは、現在、送信される必要があるマルチキャスト情報が存在することを示す。STAが属するマルチキャストグループが、すぐに送信されるべきダウンリンクデータを有するならば、STAはこのビーコンフレームの後の全てのマルチキャスト情報を受信し、そしてその情報からSTAが属するマルチキャストグループのマルチキャスト情報を選択する。STAによって実行されるビーコンフレームの探索回数を減少させるために、柔軟なマルチキャストサービス（Flexible Multicast Service、略してFMS）モードが進んでいる。FMSモードにおいて、STAは、前もってAPとネゴシエーションしてどのマルチキャスト周期を使用するかを決定する。STAは、ネゴシエーションを通して決定されたマルチキャスト周期に従って、マルチキャスト情報を受信するが、APは、送信されようとするマルチキャスト情報が属するマルチキャスト周期を識別するために、ビーコンフレーム内の８ビットのFMS IDを使用する。
【発明の概要】
【課題を解決するための手段】
【０００４】
本発明の実施例は、マルチキャスト情報送信方法および装置を提供し、これらはFMS IDによってサポートされる制限された数のマルチキャスト周期によって引き起こされる制限されたマルチキャストアプリケーションの課題を解決するために使用される。
【０００５】
第１の態様において、本発明の実施例は、
配送トラフィック指示マップDTIMビーコンフレームをステーションSTAに送信するステップであって、前記DTIMビーコンフレームが、送信されるべきマルチキャスト情報を有するマルチキャストグループを示すために使用される、ステップと、
前記STAが属するマルチキャストグループに対応する受信間隔で、前記STAが属するマルチキャストグループのマルチキャスト情報を前記STAが受信するように、前記送信されるべきマルチキャスト情報を有するマルチキャストグループのマルチキャスト識別子IDの順序に従って、予め設定された送信間隔で、前記送信されるべきマルチキャスト情報を有するマルチキャストグループのマルチキャスト情報を送信するステップと、
を含むマルチキャスト情報送信方法を提供する。
【０００６】
第１の態様の任意選択の実現方法において、前記方法は、配送トラフィック指示マップDTIMビーコンフレームをステーションSTAに送信する前記ステップの前に、
前記STAが属するマルチキャストグループのマルチキャストIDを前記STAに送信するステップをさらに含む。
【０００７】
第１の態様の任意選択の実現方法において、前記方法は、前記STAが属するマルチキャストグループのマルチキャストIDを前記STAに送信する前記ステップの前に、
前記STAが属するマルチキャストグループのマルチキャストIDをアソシエーション識別子AIDにマッピングするステップをさらに含む。
【０００８】
第１の態様の任意選択の実現方法において、前記DTIMビーコンフレームが、送信されるべきマルチキャスト情報を有するマルチキャストグループを示すために使用されることは、
前記送信されるべきマルチキャスト情報を有するマルチキャストグループを示すために、前記DTIMビーコンフレーム内の部分仮想ビットマップを使用することを含む。
【０００９】
第１の態様の任意選択の実現方法において、前記予め設定された送信間隔は、マルチキャスト情報の平均送信持続期間、または、ビーコンフレーム間隔である。
【００１０】
第２の態様において、本発明の実施例は、
ステーションSTAにより、無線アクセスポイントAPによって送信される配送トラフィック指示マップDTIMビーコンフレームを受信するステップであって、前記DTIMビーコンフレームが、送信されるべきマルチキャスト情報を有するマルチキャストグループを示すために使用される、ステップと、
前記STAにより、前記送信されるべきマルチキャスト情報を有するマルチキャストグループのマルチキャスト識別子IDのうちの、前記STAが属するマルチキャストグループのマルチキャストIDの順序に従って、前記STAが属するマルチキャストグループに対応する受信間隔で、前記STAが属するマルチキャストグループのマルチキャスト情報を前記APから受信するステップと、
を含むマルチキャスト情報受信方法を提供する。
【００１１】
第２の態様の任意選択の実現方法において、前記受信間隔は、マルチキャスト情報の平均送信持続期間、または、ビーコンフレーム間隔である。
【００１２】
第２の態様の任意選択の実現方法において、送信されるべきマルチキャスト情報を有する各々のマルチキャストグループのマルチキャストIDはアソシエーション識別子AIDである。
【００１３】
第３の態様において、本発明の実施例は、
ステーションSTAが属するマルチキャストグループのマルチキャスト識別子IDを決定するステップであって、前記STAが属するマルチキャストグループのマルチキャストIDはアソシエーション識別子AIDにマッピングされる、ステップと、
前記STAが属するマルチキャストグループのマルチキャストIDを前記STAに送信するステップと、
を含むマルチキャスト識別子送信方法を提供する。
【００１４】
第３の態様の任意選択の実現方法において、前記STAが属するマルチキャストグループのマルチキャストIDをAIDにマッピングすることは、
前記STAが属するマルチキャストグループのマルチキャストIDを１つのAIDにおけるページ、ブロック、または、サブブロックにマッピングすること、または、前記STAが属するマルチキャストグループのマルチキャストIDを少なくとも２つのAIDにおけるブロックおよびサブブロックにマッピングすることを含む。
【００１５】
第３の態様の任意選択の実現方法において、前記STAが属するマルチキャストグループのマルチキャストIDを前記STAに送信する前記ステップは、
前記STAが属するマルチキャストグループのマルチキャストIDを管理フレームまたは制御フレームにカプセル化し、前記フレームを前記STAに送信するステップ、または、
新たな情報要素IEを既存の管理フレームまたは既存の制御フレームまたは既存のデータフレームに追加し、前記STAが属するマルチキャストグループのマルチキャストIDを前記新たなIEにカプセル化し、前記既存の管理フレームまたは既存の制御フレームまたは既存のデータフレームを前記STAに送信するステップ
を含む。
【００１６】
第４の態様において、本発明の実施例は、
ステーションSTAにより、前記STAが属するマルチキャストグループのマルチキャスト識別子IDを無線アクセスポイントAPから受信するステップであって、前記STAが属するマルチキャストグループのマルチキャストIDはアソシエーション識別子AIDにマッピングされる、ステップと、
前記STAにより、前記STAが属するマルチキャストグループのマルチキャストIDを記録するステップと、
を含むマルチキャスト識別子受信方法を提供する。
【００１７】
第４の態様の任意選択の実現方法において、ステーションSTAにより、前記STAが属するマルチキャストグループのマルチキャスト識別子IDを無線アクセスポイントAPから受信する前記ステップは、
前記STAにより、前記APによって送信される管理フレームまたは制御フレームを受信するステップであって、前記管理フレームまたは制御フレームは前記STAが属するマルチキャストグループのマルチキャストIDを含む、ステップ、または、
前記STAにより、前記APによって送信される既存の管理フレームまたは既存の制御フレームまたは既存のデータフレームを受信するステップであって、前記既存の管理フレームまたは既存の制御フレームまたは既存のデータフレームにおける新たな情報要素IEは前記STAが属するマルチキャストグループのマルチキャストIDを含む、ステップ
を含む。
【００１８】
第４の態様の任意選択の実現方法において、ステーションSTAにより、前記STAが属するマルチキャストグループのマルチキャスト識別子IDを無線アクセスポイントAPから受信する前記ステップは、
前記STAにより、前記マルチキャストIDを要求するための情報を前記APに送信するステップと、
前記STAにより、前記STAが属するマルチキャストグループのマルチキャストIDを受信するステップであって、前記マルチキャストIDは前記マルチキャストIDを要求するための情報に従って前記APによって送信される、ステップと、
を含む。
【００１９】
第５の態様において、本発明の実施例は、無線アクセスポイントAPであって、
配送トラフィック指示マップDTIMビーコンフレームをステーションSTAに送信するように構成された第１送信モジュールであって、前記DTIMビーコンフレームが、送信されるべきマルチキャスト情報を有するマルチキャストグループを示すために使用される、第１送信モジュールと、
前記STAが属するマルチキャストグループに対応する受信間隔で、前記STAが属するマルチキャストグループのマルチキャスト情報を前記STAが受信するように、前記送信されるべきマルチキャスト情報を有するマルチキャストグループのマルチキャスト識別子IDの順序に従って、予め設定された送信間隔で、前記送信されるべきマルチキャスト情報を有するマルチキャストグループのマルチキャスト情報を送信するように構成された第２送信モジュールと、
を含むAPを提供する。
【００２０】
第５の態様の任意選択の実現方法において、前記APは、前記第１送信モジュールが前記DTIMビーコンフレームを前記STAに送信する前に、前記STAが属するマルチキャストグループのマルチキャストIDを前記STAに送信するように構成された第３送信モジュールをさらに含む。
【００２１】
第５の態様の任意選択の実現方法において、前記APは、前記第３送信モジュールが、前記STAが属するマルチキャストグループのマルチキャストIDを前記STAに送信する前に、前記STAが属するマルチキャストグループのマルチキャストIDをアソシエーション識別子AIDにマッピングするように構成されたマッピングモジュールをさらに含む。
【００２２】
第５の態様の任意選択の実現方法において、前記DTIMビーコンフレームが、送信されるべきマルチキャスト情報を有するマルチキャストグループを示すために使用されることは、
前記送信されるべきマルチキャスト情報を有するマルチキャストグループを示すために、前記DTIMビーコンフレーム内の部分仮想ビットマップを使用することを含む。
【００２３】
第６の態様において、本発明の実施例は、ステーションSTAであって、
無線アクセスポイントAPによって送信される配送トラフィック指示マップDTIMビーコンフレームを受信するように構成された第５受信モジュールであって、前記DTIMビーコンフレームが、送信されるべきマルチキャスト情報を有するマルチキャストグループを示すために使用される、第５受信モジュールと、
前記送信されるべきマルチキャスト情報を有するマルチキャストグループのマルチキャスト識別子IDのうちの、前記STAが属するマルチキャストグループのマルチキャストIDの順序に従って、前記STAが属するマルチキャストグループに対応する受信間隔で、前記STAが属するマルチキャストグループのマルチキャスト情報を前記APから受信するように構成された第６受信モジュールと、
を含むSTAを提供する。
【００２４】
第６の態様の任意選択の実現方法において、前記受信間隔は、マルチキャスト情報の平均送信持続期間、または、ビーコンフレーム間隔である。
【００２５】
第６の態様の任意選択の実現方法において、送信されるべきマルチキャスト情報を有する各々のマルチキャストグループのマルチキャストIDはアソシエーション識別子AIDである。
【００２６】
第７の態様において、本発明の実施例は、無線アクセスポイントAPであって、
ステーションSTAが属するマルチキャストグループのマルチキャスト識別子IDを決定するように構成された決定モジュールであって、前記STAが属するマルチキャストグループのマルチキャストIDはアソシエーション識別子AIDにマッピングされる、決定モジュールと、
前記STAが属するマルチキャストグループのマルチキャストIDを前記STAに送信するように構成された第１０送信モジュールと、
を含むAPを提供する。
【００２７】
第７の態様の任意選択の実現方法において、前記決定モジュールが、前記STAが属するマルチキャストグループのマルチキャストIDをAIDにマッピングするように構成されることは、
前記決定モジュールが、特に、前記STAが属するマルチキャストグループのマルチキャストIDを１つのAIDにおけるいずれかのページ、ブロック、または、サブブロックにマッピングする、または、前記STAが属するマルチキャストグループのマルチキャストIDを少なくとも２つのAIDにおけるブロックおよびサブブロックにマッピングするように構成されることを含む。
【００２８】
第７の態様の任意選択の実現方法において、前記第１０送信モジュールは、特に、前記STAが属するマルチキャストグループのマルチキャストIDを管理フレームまたは制御フレームにカプセル化し、前記フレームを前記STAに送信するように構成される、または、
前記第１０送信モジュールは、特に、新たな情報要素IEを管理フレームまたは制御フレームまたはデータフレームに追加し、前記STAが属するマルチキャストグループのマルチキャストIDを前記新たなIEにカプセル化し、前記管理フレームまたは制御フレームまたはデータフレームを前記STAに送信するように構成される。
【００２９】
第７の態様の任意選択の実現方法において、前記APは、前記STAによって送信される前記マルチキャストIDを要求するための情報を受信するように構成された第１０受信モジュールをさらに含み、
前記第１０送信モジュールは、特に、前記マルチキャストIDを要求するための情報に従って、前記STAが属するマルチキャストグループのマルチキャストIDを前記STAに送信するように構成される。
【００３０】
第８の態様において、本発明の実施例は、ステーションSTAであって、
前記STAが属するマルチキャストグループのマルチキャスト識別子IDを無線アクセスポイントAPから受信するように構成された第１４受信モジュールであって、前記STAが属するマルチキャストグループのマルチキャストIDはアソシエーション識別子AIDにマッピングされる、第１４受信モジュールと、
前記STAが属するマルチキャストグループのマルチキャストIDを記録するように構成された記憶モジュールと、
を含むSTAを提供する。
【００３１】
第８の態様の任意選択の実現方法において、前記第１４受信モジュールは、特に、前記APによって送信される管理フレームまたは制御フレームを受信するように構成され、前記管理フレームまたは制御フレームは前記STAが属するマルチキャストグループのマルチキャストIDを含む、または、
前記第１４受信モジュールは、特に、前記APによって送信される既存の管理フレームまたは既存の制御フレームまたは既存のデータフレームを受信するように構成され、前記既存の管理フレームまたは既存の制御フレームまたは既存のデータフレームにおける新たな情報要素IEは前記STAが属するマルチキャストグループのマルチキャストIDを含む。
【００３２】
第８の態様の任意選択の実現方法において、前記STAは、前記マルチキャストIDを要求するための情報を前記APに送信するように構成された第１３送信モジュールをさらに含み、
前記第１４受信モジュールは、特に、前記STAが属するマルチキャストグループのマルチキャストIDを受信するように構成され、前記マルチキャストIDは前記マルチキャストIDを要求するための情報に従って前記APによって送信される。
【００３３】
本発明の実施例において提供されるマルチキャスト情報送信および受信方法および装置において、DTIMビーコンフレームは、送信されるべきマルチキャスト情報を有するマルチキャストグループを示すために使用され、送信されるべきマルチキャスト情報を有するマルチキャストグループのマルチキャストIDの順序に従って、送信間隔で、APは送信されるべきマルチキャスト情報を有するマルチキャストグループのマルチキャスト情報を送信し、STAは、送信されるべきマルチキャスト情報を有するマルチキャストグループのマルチキャストIDのうちの、STAが属するマルチキャストグループのマルチキャストIDの順序に従って、対応する受信間隔で、STAが属するマルチキャストグループのマルチキャスト情報を受信し、それによって、先行技術における、各々のSTAがビーコンフレームの後の全てのマルチキャスト情報を受信するという課題を解決し、この課題によって引き起こされるSTAリソースの浪費を減少させる。
【００３４】
本発明の実施例において提供されるマルチキャスト識別子送信および受信方法および装置において、AIDはマルチキャストグループのマルチキャストIDとして使用され、APは、STAが属するマルチキャストグループのマルチキャストIDをSTAに送信し、それによって、STAは、STAが属するマルチキャストグループのマルチキャストIDを取得できる。マルチキャストIDとしての役割を果たすAIDを用いて、AIDリソースの豊富さのおかげで、先行技術における、FMS IDによってサポートされる制限された数のマルチキャスト周期によって引き起こされる制限されたマルチキャストアプリケーションの課題はある程度解決される。
【００３５】
下記は、本発明の実施例におけるまたは先行技術における技術的解決手段をより明確に説明するために、実施例または先行技術を記載するために必要な添付図面を簡単に説明する。明らかに、以下の記載における添付図面は本発明のほんのいくつかの実施例を表わし、この技術分野の当業者はこれらの添付図面から創作的な努力なしでさらに他の図面を導き出し得る。
【図面の簡単な説明】
【００３６】
【図１】本発明の実施例によるマルチキャスト情報送信方法のフローチャートである。
【図２】本発明のもう１つの実施例によるマルチキャスト情報送信方法のフローチャートである。
【図３】本発明の実施例によるAIDの概要の構成図である。
【図４】本発明の実施例によるマルチキャスト情報受信方法のフローチャートである。
【図５】本発明の実施例によるマルチキャスト情報を受信する順序の概要図である。
【図６】本発明の実施例によるマルチキャスト情報を受信するもう１つの順序の概要図である。
【図７】本発明のもう１つの実施例によるマルチキャスト情報受信方法のフローチャートである。
【図８】本発明の実施例によるマルチキャスト識別子送信方法のフローチャートである。
【図９】本発明の実施例によるマルチキャスト識別子受信方法のフローチャートである。
【図１０】本発明の実施例によるAPの概要の構成図である。
【図１１】本発明のもう１つの実施例によるAPの概要の構成図である。
【図１２】本発明のさらにもう１つの実施例によるAPの概要の構成図である。
【図１３】本発明の実施例によるSTAの概要の構成図である。
【図１４】本発明のもう１つの実施例によるSTAの概要の構成図である。
【図１５】本発明のさらにもう１つの実施例によるSTAの概要の構成図である。
【図１６】本発明のさらにもう１つの実施例によるAPの概要の構成図である。
【図１７】本発明のさらにもう１つの実施例によるAPの概要の構成図である。
【図１８】本発明のさらにもう１つの実施例によるAPの概要の構成図である。
【図１９】本発明のさらにもう１つの実施例によるSTAの概要の構成図である。
【図２０】本発明のさらにもう１つの実施例によるSTAの概要の構成図である。
【図２１】本発明のさらにもう１つの実施例によるSTAの概要の構成図である。
【発明を実施するための形態】
【００３７】
本発明の実施例の目的、技術的解決手段、および効果をより理解できるようにするために、下記は、本発明の実施例における添付図面を参照して、本発明の実施例における技術的解決手段を明確かつ十分に記載する。明らかに、記載された実施例は本発明の実施例の全てではなく一部に過ぎない。本発明の実施例に基づいて、創作的な努力なしで、この技術分野の当業者によって得られる他の全ての実施例は、本発明の保護範囲内にある。
【００３８】
図１は、本発明の実施例によるマルチキャスト情報送信方法のフローチャートである。この実施例を実現するためのエンティティは、限定しないが、APであり得る。図１に表されているように、この実施例における方法は次のステップを含む。
【００３９】
ステップ１０１：DTIMビーコンフレームをSTAに送信し、ここで、DTIMビーコンフレームは、送信されるべきマルチキャスト情報を有するマルチキャストグループを示すために使用される。
【００４０】
ステップ１０２：送信されるべきマルチキャスト情報を有するマルチキャストグループのマルチキャスト識別子（Identifier、略してID）の順序に従って、各々の予め設定された送信間隔で、送信されるべきマルチキャスト情報を有するマルチキャストグループのマルチキャスト情報を送信し、それによって、STAは、STAが属するマルチキャストグループに対応する受信間隔で、STAが属するマルチキャストグループのマルチキャスト情報を受信する。
【００４１】
本発明の各々の実施例において、マルチキャストIDの順序は、降順または昇順であり得る。APが送信を実行するときに適用されるマルチキャストIDの順序は、STAが受信を実行するときに適用されるマルチキャストIDの順序と同じであり、すなわち、送信と受信の両方が降順である、または、両方が昇順である。
【００４２】
この実施例において、各々のマルチキャストグループは、マルチキャストグループをユニークに識別するために使用されるマルチキャストIDを有する。送信されるべきマルチキャスト情報を有する各々のマルチキャストグループのマルチキャスト情報はAPに記憶される。APがマルチキャスト情報を少なくとも１つのマルチキャストグループ内のSTAに送信する必要があるとき、APはまずビーコンフレームをSTAに送信し、ここで、ビーコンフレーム内のタイプ指示ビットは、ビーコンフレームがDTIMビーコンフレームであることを示す。一態様において、DTIMビーコンフレームは、DTIMビーコンフレームの後にマルチキャスト情報が送信されることを示し、他の態様において、送信されるべきマルチキャスト情報を有するマルチキャストグループを示す。そして、送信されるべきマルチキャスト情報を有するマルチキャストグループのマルチキャストIDの順序に従って、各々の送信間隔で、APはマルチキャストグループのマルチキャスト情報を送信する。従って、STAが属するマルチキャストグループのマルチキャストIDに従って、STAは、対応する受信間隔で、しかし、他のマルチキャストグループのマルチキャスト情報を受信することなく、STAが属するマルチキャストグループのマルチキャスト情報を受信でき、それによって、先行技術における、STAがビーコンフレームを受信した後にそのビーコンフレームの後の全てのマルチキャスト情報を受信する必要があるという課題を解決し、この課題によって引き起こされるSTAリソースの浪費を減少させ、これは低電力消費を要求するSTAに特に適している。
【００４３】
任意選択の実現方法において、予め設定された送信間隔は、マルチキャスト情報の平均送信持続期間であり得る。従って、DTIMビーコンフレームをSTAに送信した後に、APは特に、送信間隔としての時間を、送信されるべきマルチキャスト情報を有する各々のマルチキャストグループに割り当て、この時間は、マルチキャスト情報の平均送信持続期間であり、送信されるべきマルチキャスト情報を有するマルチキャストグループのマルチキャストIDの順序に従って割り当てられる。割り当てられた送信間隔で、対応するマルチキャストグループのマルチキャスト情報が送信される。このようにして、マルチキャストグループのマルチキャスト情報は、マルチキャストIDの順序に従って送信される。
【００４４】
任意選択で、マルチキャスト情報の平均送信持続期間は、予め設定された経験的な値であり得る。さらに、マルチキャスト情報の平均送信持続期間は、また、APが送信されるべきマルチキャスト情報を有するマルチキャストグループを決定した後、マルチキャスト情報が送信される前に、各々のマルチキャストグループによって送信されるべきマルチキャスト情報のサイズおよび送信レートに従って計算され得る。
【００４５】
任意選択の実現方法において、送信間隔はビーコンフレーム間隔（英語：Beacon Interval）であり得る。ここで、ビーコンフレーム間隔は２つのビーコンフレーム間の間隔を指す。ここで、ビーコンフレームは、その指示ビットがトラフィック指示マップ（Traffic Indication Map、略してTIM）であるTIMビーコンフレームを含み、DTIMビーコンフレームも含む。この実現方法において、APは、現在のDTIMビーコンフレームの後、次のDTIMビーコンフレームの前に、TIMビーコンフレームを送信し得る。従って、APが現在のDTIMビーコンフレームの後にマルチキャストグループのマルチキャスト情報を送信することは、具体的には：APが、現在のDTIMビーコンフレーム、および、現在のDTIMビーコンフレームと次のDTIMビーコンフレームの間のTIMビーコンフレームの後に、マルチキャストグループのマルチキャスト情報を送信すること、であり得る。言い換えると、APは、DTIMビーコンフレームの後に、マルチキャストグループのマルチキャスト情報を送信するか、または、次のDTIMビーコンフレームより前のTIMビーコンフレームの後に、マルチキャストグループのマルチキャスト情報を送信し得る。
【００４６】
２つのDTIMビーコンフレームの間にAPによって送信されるTIMビーコンフレームの数は、適応的に決定され得ることに留意すべきである。２つのDTIMビーコンフレームの間のTIMビーコンフレームの数が送信されるべきマルチキャスト情報を有するマルチキャストグループの数より大きいか等しいならば、好ましくは、APは、限定しないが、各々のTIMビーコンフレームの後に、マルチキャストグループのマルチキャスト情報を送信し得る。２つのDTIMビーコンフレームの間のTIMビーコンフレームの数が送信されるべきマルチキャスト情報を有するマルチキャストグループの数より小さいならば、APは、各々のマルチキャストグループのマルチキャスト情報のSTAへの送信に成功できることを保証するために、TIMビーコンフレームまたは現在のDTIMビーコンフレームのうち１つの後に、少なくとも２つのマルチキャストグループのマルチキャスト情報を同時に送信し得る。
【００４７】
図２は、本発明のもう１つの実施例によるマルチキャスト情報送信方法のフローチャートである。この実施例は、図１に表されている実施例に基づいて実現される。図２に表されているように、この実施例における方法は、ステップ１０１の前に、次のステップを含む。
【００４８】
ステップ１００：STAが属するマルチキャストグループのマルチキャストIDをSTAに送信する。
【００４９】
APが、送信されるべきマルチキャスト情報を有する各々のマルチキャストグループのマルチキャストIDの順序に従って、マルチキャストグループのマルチキャスト情報をSTAに送信する前に、APは、STAが属するマルチキャストグループのマルチキャストIDをSTAに送信し得る。従って、STAは、前もって、STAが属するマルチキャストグループのマルチキャストIDを知り、そして、STAが属するマルチキャストグループのマルチキャストIDに対応する受信間隔で、STAが属するマルチキャストグループのマルチキャスト情報を受信する。STAは、受信された、STAが属するマルチキャストグループのマルチキャストIDをローカルに記憶する。
【００５０】
任意選択の実現方法において、APは、事前に（proactively）マルチキャストIDの割り当てを開始し得る。すなわち、APは、STAが属するマルチキャストグループのマルチキャストIDをSTAに事前に送信する。
【００５１】
もう１つの任意選択の実現方法において、STAは、STAが属するマルチキャストグループのマルチキャストIDをAPに事前に要求し得る。従って、ステップ１０１の実現方法は、APが、STAによって送信される、マルチキャストIDを要求するための情報を受信し、APが、受信された、マルチキャストIDを要求するための情報に従って、STAが属するマルチキャストグループのマルチキャストIDをSTAに送信すること、を含む。STAによって送信される、マルチキャストIDを要求するための情報は、STAの媒体アクセス制御（Media Access Control、略してMAC）アドレスまたはIPアドレス、または、STAをユニークに識別できる他の情報であり得る。APは、STAによって送信される、マルチキャストIDを要求するための情報に従ってSTAを識別し、そして、STAが属するマルチキャストグループのマルチキャストIDを決定する。任意選択で、マルチキャストIDを要求するための情報を受信した後、APは、マルチキャストIDをリアルタイムSTAに割り当て、または、予め割り当てられたマルチキャストIDを直接に取得し得る。
【００５２】
この実現方法において、STAは、次の具体的な実現方法で、マルチキャストIDを要求するための情報をAPに送信し得る。STAは、マルチキャストIDを要求するための情報を要求メッセージにカプセル化し、その要求メッセージをAPに送信する。APのための、STAによって送信される、マルチキャストIDを要求するための情報を受信する具体的な方法は、APが、STAによって送信される要求メッセージを受信し、ここで、要求メッセージは、マルチキャストIDを要求するための情報を含み、具体的には、APが、要求メッセージからマルチキャストIDを要求するための情報を取得する。任意選択で、要求メッセージは、新たなメッセージであり得る。
【００５３】
この実現方法において、STAは、もう１つの具体的な実現方法で、マルチキャストIDを要求するための情報をAPに送信し得る。STAは、新たな情報要素（Information Element、略してIE）を既存の制御フレームまたは既存の管理フレームまたは既存のデータフレームに追加し、マルチキャストIDを要求するための情報をその新たなIEにカプセル化し、その既存の制御フレームまたは既存の管理フレームまたは既存のデータフレームをAPに送信する。APのための、STAによって送信される、マルチキャストIDを要求するための情報を受信する具体的な方法は、APが、STAによって送信される既存の制御フレームまたは既存の管理フレームまたは既存のデータフレームを受信し、ここで、既存の制御フレームまたは既存の管理フレームまたは既存のデータフレームにおける新たなIEは、マルチキャストIDを要求するための情報を含み、具体的には、APは、既存の制御フレームまたは既存の管理フレームまたは既存のデータフレームにおける新たなIEからマルチキャストIDを要求するための情報を取得する。
【００５４】
任意選択の実現方法において、APは、次の具体的な実現方法で、STAが属するマルチキャストグループのマルチキャストIDをSTAに送信し得る。APは、STAが属するマルチキャストグループのマルチキャストIDを新たな管理フレームまたは新たな制御フレームにカプセル化し、そのフレームをSTAに送信する。
【００５５】
任意選択の実現方法において、APは、もう１つの具体的な実現方法で、STAが属するマルチキャストグループのマルチキャストIDをSTAに送信し得る。APは、新たなIEを既存の管理フレームまたは既存の制御フレームまたは既存のデータフレームに追加し、STAが属するマルチキャストグループのマルチキャストIDをその新たなIEにカプセル化し、その既存の管理フレームまたは既存の制御フレームまたは既存のデータフレームをSTAに送信する。
【００５６】
任意選択の実現方法において、STAが属するマルチキャストグループのマルチキャストIDをAPから受信した後、STAは肯定応答（ACK）メッセージをAPに送信し得る。それによって、APは、STAが属するマルチキャストグループのマルチキャストIDの受信にSTAが成功したかどうかを早期に知ることができる。従って、APが、STAが属するマルチキャストグループのマルチキャストIDをSTAに送信した後、この方法は、APにより、STAによって送信されるACKメッセージを受信することを含む。任意選択で、STAがACKメッセージを送信することを要求される場合、APが指定された時間内にACKメッセージを受信しないならば、STAが属するマルチキャストグループのマルチキャストIDはSTAに再度送信される必要がある。
【００５７】
任意選択の実現方法において、APは、さらに、マルチキャストIDを登録抹消する処理を開始し得る。従って、この実施例における方法は、さらに、APにより、マルチキャストID登録抹消メッセージをSTAに送信することを含み得る。ここで、マルチキャストID登録抹消メッセージは、STAが属するマルチキャストグループのマルチキャストIDを登録抹消する登録抹消指示を含む。任意選択で、マルチキャストID登録抹消メッセージは、さらに、登録抹消されるべきマルチキャストID（すなわち、STAが属するマルチキャストグループのマルチキャストID）を含み得る。それに対応して、STAは、APによって送信されるマルチキャストID登録抹消メッセージを受信し、従って、STAが属するマルチキャストグループのマルチキャストIDが登録抹消される必要があることを知り、従って、マルチキャストIDとの結合関係を取り消す。任意選択で、マルチキャストID登録抹消メッセージを受信した後、STAは、マルチキャストID登録抹消メッセージが受信されたことをAPに通知するために、ACKメッセージをAPに送信し得る。これに対応して、マルチキャストID登録抹消メッセージをSTAに送信した後、APは、STAによって送信されるACKメッセージを受信する。STAがACKメッセージを送信することを要求される場合、APが指定された時間内にACKメッセージを受信しないならば、マルチキャストID登録抹消メッセージはACKメッセージを受信していない該当するSTAに再度送信される必要がある。
【００５８】
APは、次の任意選択の実現方法で、マルチキャストID登録抹消メッセージをSTAに送信し得る。APは、新たな管理フレームまたは新たな制御フレームを使用し、マルチキャストID登録抹消メッセージをその新たな管理フレームまたは新たな制御フレームにカプセル化し、そのフレームをSTAに送信する。
【００５９】
APは、もう１つの任意選択の実現方法で、マルチキャストID登録抹消メッセージをSTAに送信し得る。APは、新たなIEを既存の管理フレームまたは制御フレームまたはデータフレームに追加し、マルチキャストID登録抹消メッセージをその新たなIEにカプセル化し、その既存の管理フレームまたは制御フレームまたはデータフレームを該当するSTAに送信する。
【００６０】
任意選択の実現方法において、マルチキャストIDの登録抹消の処理は、また、STAによって事前に開始され得る。例えば、マルチキャストグループとの結合関係を取り消す必要があるとき、STAは、マルチキャストグループとの結合を取り消すことを要求するマルチキャストID登録抹消要求をAPに送信する。従って、この実施例における方法は、APにより、STAによって送信されるマルチキャストID登録抹消要求を受信することをさらに含み、ここで、マルチキャストID登録抹消要求は、任意選択で、STAが属するマルチキャストグループのマルチキャストID、すなわち、登録抹消されるべきマルチキャストIDを含み、そして、この方法は、受信されたマルチキャストID登録抹消要求に従って、STAが属するマルチキャストグループのマルチキャストIDを登録抹消することさらに含む。任意選択で、マルチキャストID登録抹消要求を受信した後、APは、ACKメッセージをSTAに送信し得る。
【００６１】
STAは、次の任意選択の実現方法で、マルチキャストID登録抹消要求をAPに送信し得る。STAは、要求メッセージを使用し、マルチキャストID登録抹消要求をその要求メッセージにカプセル化し、その要求メッセージをAPに送信する。これに対応して、APは、次の具体的な実現方法で、マルチキャストID登録抹消要求をSTAから受信し得る。APは、STAによって送信される要求メッセージを受信し、マルチキャストID登録抹消要求をその要求メッセージから取得する。ここで、要求メッセージは、また、新たなメッセージであり得る。
【００６２】
STAは、もう１つの任意選択の実現方法で、マルチキャストID登録抹消要求をAPに送信し得る。STAは、新たなIEを既存の制御フレームまたは管理フレームまたはデータフレームに追加し、マルチキャストID登録抹消要求をその新たなIEにカプセル化し、その既存の制御フレームまたは管理フレームまたはデータフレームをAPに送信する。これに対応して、APは、次の具体的な実現方法で、マルチキャストID登録抹消要求をSTAから受信し得る。APは、STAによって送信される既存の制御フレームまたは管理フレームまたはデータフレームを受信し、その制御フレームまたは管理フレームまたはデータフレームにおける新たなIEからマルチキャストID登録抹消要求を取得する。
【００６３】
任意選択の実現方法において、APは、さらに、マルチキャストIDの変更を開始し得る。従って、この実施例における方法は、APにより、マルチキャストID変更メッセージをSTAに送信することをさらに含み、ここで、マルチキャストID変更メッセージは、STAが属するマルチキャストグループの変更されたマルチキャストIDを含む。任意選択で、マルチキャストID変更メッセージは、さらに、STAが属するマルチキャストグループの元のマルチキャストIDを含み得る。マルチキャストグループについて、マルチキャストグループの元のマルチキャストIDは、変更されるべきマルチキャストIDであり、マルチキャストグループによって使用される新たなマルチキャストIDは、変更されたマルチキャストIDである。STAは、APによって送信されるマルチキャストID変更メッセージを受信し、従って、マルチキャストIDが変更される必要があることを知り、変更されたマルチキャストIDを決定する。任意選択で、APによって送信されるマルチキャストID変更メッセージを受信した後、STAはACKメッセージをAPに送信し得る。STAがACKメッセージを送信することを要求される場合、APが指定された時間内にACKメッセージを受信しないならば、マルチキャストID変更メッセージは、ACKメッセージを受信していない該当するSTAに再度送信される必要がある。
【００６４】
APは、次の任意選択の実現方法で、マルチキャストID変更メッセージをSTAに送信し得る。APは、新たな管理フレームまたは新たな制御フレームを使用し、マルチキャストID変更メッセージをその新たな管理フレームまたは新たな制御フレームにカプセル化し、そのフレームをSTAに送信する。
【００６５】
APは、もう１つの任意選択の実現方法で、マルチキャストID変更メッセージをSTAに送信し得る。APは、新たなIEを既存の管理フレームまたは制御フレームまたはデータフレームに追加し、マルチキャストID変更メッセージをその新たなIEにカプセル化し、その既存の管理フレームまたは制御フレームまたはデータフレームを該当するSTAに送信する。
【００６６】
任意選択の実現方法において、マルチキャストIDの変更は、また、STAによって事前に開始され得る。例えば、マルチキャストIDを変更する必要があるとき、STAは、マルチキャストID変更要求をAPに送信し、そして、APによってマルチキャストID変更要求に従って送信されるマルチキャストID変更メッセージを受信し得る。ここで、マルチキャストID変更メッセージは、STAが属するマルチキャストグループの変更されたマルチキャストIDを含む。従って、APは、次の実現方法で、マルチキャストID変更メッセージをSTAに送信し得る。APは、STAによって送信されるマルチキャストID変更要求を受信し、そのマルチキャストID変更要求に従って、マルチキャストID変更メッセージをSTAに送信する。マルチキャストID変更要求は、STAのMACアドレスまたはIPアドレス、または、STAをユニークに識別できる他の情報を含み得る。任意選択で、APは、マルチキャストID変更要求において搬送される情報に従って、新たなマルチキャストIDをSTAに割り当て、そして、変更されたマルチキャストIDとして新たに割り当てられたマルチキャストIDをSTAに送信し得る。
【００６７】
STAは、次の任意選択の実現方法で、マルチキャストID変更要求をAPに送信し得る。STAは、新たな要求メッセージを使用し、マルチキャストID変更要求をその新たな要求メッセージにカプセル化し、その要求メッセージをAPに送信する。これに対応して、APは、次の具体的な実現方法で、マルチキャストID変更要求をSTAから受信し得る。APは、STAによって送信される新たな要求メッセージを受信し、マルチキャストID変更要求をその新たな要求メッセージから取得する。
【００６８】
STAは、もう１つの任意選択の実現方法で、マルチキャストID変更要求をAPに送信し得る。STAは、新たなIEを既存の制御フレームまたは管理フレームまたはデータフレームに追加し、マルチキャストID変更要求をその新たなIEにカプセル化し、その既存の制御フレームまたは管理フレームまたはデータフレームをAPに送信する。これに対応して、APは、次の具体的な実現方法で、マルチキャストID変更要求をSTAから受信し得る。APは、STAによって送信される既存の制御フレームまたは管理フレームまたはデータフレームを受信し、既存の制御フレームまたは管理フレームまたはデータフレームにおける新たなIEからマルチキャストID変更要求を取得する。
【００６９】
前述の実現方法は、APがどのように、マルチキャストIDをSTAに送信し、マルチキャストIDを登録抹消し、マルチキャストIDを変更し、マルチキャストIDの管理を実現するか、に関して複数の実現される解決手段を与え、実現することは簡単で容易である。
【００７０】
上記の実現方法に基づいて、任意選択で、上述した（STAが属するマルチキャストグループを含む）各々のマルチキャストグループのマルチキャストIDは、MACアドレスまたはFMS IDであり得るが、これらに限定されない。
【００７１】
上記の実現方法に基づいて、任意選択で、上述した（STAが属するマルチキャストグループを含む）各々のマルチキャストグループのマルチキャストIDは、少なくとも１つのアソシエーション識別子（Association ID、略してAID）である。ここで、AIDは、AID空間においてユニキャストAIDとしての役割を果たすAID以外のAIDであり得る。APは、どのAIDがユニキャストAIDとしての役割を果たすか、および、どのAIDがマルチキャストIDとしての役割を果たすかを決定し得る。すなわち、これは、マルチキャストIDとしての役割を果たすAIDがユニキャストAIDとしての役割を果たすAIDと異なる限り適切である。
【００７２】
マルチキャストグループのマルチキャストIDがAIDであることに基づいて、APが、STAが属するマルチキャストグループのマルチキャストIDをSTAに送信する前に、この方法は、APにより、STAが属するマルチキャストグループのマルチキャストIDを１つのAIDにマッピングすること、または、APにより、STAが属するマルチキャストグループのマルチキャストIDを少なくとも２つのAIDにマッピングすることを含み得る。
【００７３】
先行技術において、より多くのSTAをサポートするために、STAのAIDは、ページ（英語：Page）、ブロック（英語：Block）、およびサブブロック（英語：Sub-block）に従って、異なるグループに分割される。図３は、４つのページをサポートするAIDの構成を表わす。４つのページをサポートするAID構成において、１つのページは３２個のブロックを含み、１個のブロックは８個のサブブロックを含み、１個のサブブロックは８個のSTAをサポートし得る。このようにして、そのような構成のAIDは８１９２個のSTAをサポートし得る。AID空間は十分である。この実現方法において、AIDのいくつかはマルチキャストIDとして使用される。このようにして、追加のマルチキャストIDは設定される必要がなく、ビーコンフレームは設定されたマルチキャストIDを搬送するために拡大される必要はなく、これはビーコンフレームの圧縮に導く。
【００７４】
AIDの実現構成に基づいて、APは、次の実現方法で、STAが属するマルチキャストグループのマルチキャストIDをAIDにマッピングし得る。APは、STAが属するマルチキャストグループのマルチキャストIDをAIDにおけるいずれかのページ、ブロック、および／または、サブブロックにマッピングし得る。複数のマルチキャストグループのマルチキャストIDは同じAIDを使用し得る。マルチキャストグループのマルチキャストIDは異なるページ、ブロック、および／または、サブブロックにランダムに割り当てられ得る。
【００７５】
AIDの実現構成に基づいて、APは、もう１つの実現方法で、STAが属するマルチキャストグループのマルチキャストIDをAIDにマッピングし得る。APは、STAが属するマルチキャストグループのマルチキャストIDをAIDにおける予め指定されたページ、ブロック、および／または、サブブロックにマッピングする。同様に、また、複数のマルチキャストグループのマルチキャストIDは同じAIDを使用し得る。マルチキャストグループのマルチキャストIDは予め指定されたページ、ブロック、および／または、サブブロックに割り当てられ得る。このようにして、全てのマルチキャストグループのマルチキャストIDは、同じページ、ブロック、および／または、サブブロックに属し、これは管理を容易にする。
【００７６】
AIDの実現構成に基づいて、APは、次の具体的な実現方法で、STAが属するマルチキャストグループのマルチキャストIDを少なくとも２つのAIDにマッピングし得る。APは、STAが属するマルチキャストグループのマルチキャストIDを少なくとも２つのAIDにおける異なるページ、ブロック、および／または、サブブロックにマッピングする。複数のマルチキャストグループのマルチキャストIDは、同じ少なくとも２つのAIDを使用し得る。マルチキャストグループのマルチキャストIDは、少なくとも２つAIDの異なるページ、ブロック、および／または、サブブロックに割り当てられ得る。
【００７７】
AIDの実現構成に基づいて、APは、もう１つの具体的な実現方法で、STAが属するマルチキャストグループのマルチキャストIDを少なくとも２つのAIDにマッピングし得る。APは、STAが属するマルチキャストグループのマルチキャストIDを少なくとも２つのAIDにおける同じページ、ブロック、および／または、サブブロックにマッピングする。同様に、複数のマルチキャストグループのマルチキャストIDは、同じ少なくとも２つのAIDを使用し得る。マルチキャストグループのマルチキャストIDは、少なくとも２つAIDの同じページ、ブロック、および／または、サブブロックに割り当てられ得る。
【００７８】
結論として、AIDは、次の方法に限定しないが、次の方法で、マルチキャストグループのマルチキャストマルチキャストIDとして使用され得る。
【００７９】
（１）１つのAIDは、１つまたはより多くのマルチキャストグループのマルチキャストIDに対応し、マルチキャストIDは、異なるページ、ブロック、および／または、サブブロックにランダムに割り当てられ得る。
【００８０】
（２）１つのAIDは、１つまたはより多くのマルチキャストグループのマルチキャストIDに対応し、マルチキャストグループのマルチキャストIDを識別するために使用される全てのAIDは、同じページ、ブロック、および／または、サブブロックを使用する。
【００８１】
（３）１つのマルチキャストIDは、複数のAIDによって識別され得る。AIDは、同じまたは異なるページ、ブロック、および／または、サブブロックを使用し得る。
【００８２】
本発明の全ての実施例において、AIDによって示されるマルチキャストIDは、連続または不連続であり得ることに留意すべきである。
【００８３】
上記の全ての実現方法において、AIDはマルチキャストグループのマルチキャストIDとして使用される。FMS IDを使用する先行技術と比較して、マルチキャストIDとしての役割を果たすAIDはAPによって指定することができ、STAはAPとネゴシエーションする必要がなく、それによって、実現は比較的柔軟である。さらに、マルチキャストIDとしての役割を果たすAIDは、マルチキャスト情報の送信周期について要求条件を課さず、マルチキャスト情報の定期的な送信およびマルチキャスト情報のランダムな送信の両方をサポートし、より多くのアプリケーションシナリオに適用可能である。さらに、マルチキャストIDとしての役割を果たすAIDリソースはFMS IDより豊富であり、これはFMS IDによってサポートされる制限された数のマルチキャスト周期によって引き起こされる制限されたマルチキャストアプリケーションの課題をある程度解決する。
【００８４】
従って、任意選択の実現方法において、DTIMビーコンフレームは、次の方法で、送信されるべきマルチキャスト情報を有するマルチキャストグループを示し得る。送信されるべきマルチキャスト情報を有するマルチキャストグループを示すために、DTIMビーコンフレーム内の部分仮想ビットマップ（英語：partial virtual bitmap）を使用すること。先行技術において、ユニキャスト環境において、AIDに対応するSTAがダウンリンクデータを受信する必要があることを示すために、部分仮想ビットマップが使用される。この実現方法において、AIDはマルチキャストIDとして使用されるので、マルチキャスト環境において、送信されるべきマルチキャスト情報を有するマルチキャストグループを示すために、ビーコンフレーム内に存在する部分仮想ビットマップが使用され得る。例えば、部分仮想ビットマップ内のAIDに対応するビットが１ならば、マルチキャストIDとしてこのAIDを使用するマルチキャストグループが送信されるべきマルチキャスト情報を有することを示し、部分仮想ビットマップ内の複数のAIDに対応するビットが１ならば、マルチキャストIDとしてこれらのAIDを使用するマルチキャストグループが送信されるべきマルチキャスト情報を有することを示す。従って、AIDがマルチキャストIDとして使用されるとき、ビーコンフレーム内に存在するビットは、さらに、送信されるべきマルチキャスト情報を有するマルチキャストグループを通知するために使用され得る。ビーコンフレームは拡大される必要がなく、これはビーコンフレームの圧縮に導く。
【００８５】
結論として、本発明の実施例において提供されるマルチキャスト情報送信方法において、送信されるべきマルチキャスト情報を有するマルチキャストグループのマルチキャストIDの順序に従って、送信間隔で、APは、送信されるべきマルチキャスト情報を有するマルチキャストグループのマルチキャスト情報を送信し、STAは、送信されるべきマルチキャスト情報を有するマルチキャストグループのマルチキャストIDのうちの、STAが属するマルチキャストグループのマルチキャストIDの順序に従って、対応する受信間隔で、STAが属するマルチキャストグループのマルチキャスト情報を受信し、それによって、先行技術における、各々のSTAがビーコンフレームの後の全てのマルチキャスト情報を受信するという課題を解決し、この課題によって引き起こされるSTAリソースの浪費を減少させる。
【００８６】
図４は、本発明の実施例によるマルチキャスト情報受信方法のフローチャートである。図４に表されているように、この実施例における方法は次のステップを含む。
【００８７】
ステップ４０１：STAは、APによって送信されるDTIMビーコンフレームを受信し、ここで、DTIMビーコンフレームは、送信されるべきマルチキャスト情報を有するマルチキャストグループを示すために使用される。
【００８８】
ステップ４０２：STAは、送信されるべきマルチキャスト情報を有するマルチキャストグループのマルチキャストIDのうちの、STAが属するマルチキャストグループのマルチキャストIDの順序に従って、STAが属するマルチキャストグループに対応する受信間隔で、STAが属するマルチキャストグループのマルチキャスト情報をAPから受信する。
【００８９】
この実施例において、各々のマルチキャストグループは、マルチキャストグループをユニークに識別するために使用されるマルチキャストIDを有する。送信されるべきマルチキャスト情報を有する各々のマルチキャストグループのマルチキャスト情報はAPに記憶される。APがマルチキャスト情報を少なくとも１つのマルチキャストグループ内のSTAに送信する必要があるとき、APはまずビーコンフレームをSTAに送信し、ここで、ビーコンフレーム内のタイプ指示ビットは、ビーコンフレームがDTIMビーコンフレームであることを示す。一態様において、DTIMビーコンフレームは、DTIMビーコンフレームの後にマルチキャスト情報が送信されることをSTAに通知し、他の態様において、どのマルチキャストグループが送信されるべきマルチキャスト情報を有するかをSTAに通知する。それに対応して、STAは、APによって送信されるDTIMビーコンフレームを受信し、受信されたビーコンフレームを解析し、送信されるべきマルチキャスト情報を有するマルチキャストグループを知り、STAが属するマルチキャストグループのマルチキャストIDに従って、STAが属するマルチキャストグループが、DTIMビーコンフレームによって示される、送信されるべきマルチキャスト情報を有するマルチキャストグループであるかどうかを判定する。STAが属するマルチキャストグループが、DTIMビーコンフレームによって示される、送信されるべきマルチキャスト情報を有するマルチキャストグループであるとSTAが判定したならば、STAは、APによって送信されるマルチキャスト情報を受信するために準備する。
【００９０】
APがDTIMビーコンフレームをSTAに送信した後、送信されるべきマルチキャスト情報を有するマルチキャストグループのマルチキャストIDの順序に従って、各々の送信間隔で、APはマルチキャストグループのマルチキャスト情報を送信する。STAのための、APに適合可能な処理形態が使用される。すなわち、STAは、DTIMビーコンフレームにおいて示される、送信されるべきマルチキャスト情報を有するマルチキャストグループのマルチキャストIDのうちの、STAが属するマルチキャストグループのマルチキャストIDの順序を決定し、そして、その順序に従ってSTAが属するマルチキャストグループに対応する受信間隔を決定し、そして、STAは、対応する受信間隔で、しかし、他のマルチキャストグループのマルチキャスト情報を受信することなく、STAが属するマルチキャストグループのマルチキャスト情報を受信し、それによって、先行技術における、STAがDTIMビーコンフレームを受信した後にDTIMビーコンフレームの後の全てのマルチキャスト情報を受信する必要があるという課題を解決し、この課題によって引き起こされるSTAリソースの浪費を減少させ、これは低電力消費を要求するSTAに特に適している。
【００９１】
任意選択の実現方法において、各々の受信間隔は、マルチキャスト情報の平均送信持続期間である。従って、STAは、次の具体的な方法で、送信されるべきマルチキャスト情報を有するマルチキャストグループのマルチキャストIDのうちの、STAが属するマルチキャストグループのマルチキャストIDの順序に従って、STAが属するマルチキャストグループに対応する受信間隔で、STAが属するマルチキャストグループのマルチキャスト情報をAPから受信し得る。マルチキャスト情報の平均送信持続期間、および、送信されるべきマルチキャスト情報を有するマルチキャストグループのマルチキャストIDのうちの、STAが属するマルチキャストグループのマルチキャストIDの順序に従って、STAはそのウェイクアップ時間を決定し、そして、マルチキャスト情報を受信する。図５に表わされているように、３つのマルチキャストグループはマルチキャスト情報を送信する必要があり、ここで、３つのマルチキャストグループは、それぞれ、第１マルチキャストグループ、第２マルチキャストグループ、および第３マルチキャストグループであると仮定する。３つのマルチキャストグループのマルチキャストIDが、第１マルチキャストグループから第２マルチキャストグループへ、そして第３マルチキャストグループへの降順で順位付けされる。従って、３つのマルチキャストグループ内のSTAは、図５に表わされている方法で対応するマルチキャスト情報を受信する。第１マルチキャストグループ内のSTAは、DTIMビーコンフレームの後にウェイクアップし、それ自身のマルチキャスト情報（すなわち、第１マルチキャストグループのマルチキャスト情報）を受信し、第２マルチキャストグループ内のSTAは、１つのマルチキャスト情報の平均送信持続期間の満了を待った後にウェイクアップし、それ自身のマルチキャスト情報（すなわち、第２マルチキャストグループのマルチキャスト情報）を受信し、第３マルチキャストグループ内のSTAは、２つのマルチキャスト情報の平均送信持続期間の満了を待った後にウェイクアップし、それ自身のマルチキャスト情報（すなわち、第３マルチキャストグループのマルチキャスト情報）を受信する。任意選択で、STAが１つのマルチキャスト情報の平均送信持続期間を待った後に毎回、STAは、さらに、１つのSIFSを待ち得る。
例えば、STAが２つのマルチキャスト情報の平均送信持続期間を待つならば、合計の待っている持続期間は（２つのマルチキャスト情報の平均送信持続期間＋２つのSIFS）である。
【００９２】
任意選択で、マルチキャスト情報の平均送信持続期間は、予め設定された経験的な値であり得る。さらに、マルチキャスト情報の平均送信持続期間は、また、APが送信されるべきマルチキャスト情報を有するマルチキャストグループを決定した後、マルチキャスト情報が送信される前に、各々のマルチキャストグループによって送信されるべきマルチキャスト情報のサイズおよび送信レートに従って計算され、STAに送信され得る。
【００９３】
任意選択の実現方法において、各々の受信間隔はビーコンフレーム間隔であり得る。ここで、ビーコンフレーム間隔は２つのビーコンフレーム間の間隔を指す。ここで、ビーコンフレームは、TIMビーコンフレームおよびDTIMビーコンフレームの両方を含む。STAが属するマルチキャストグループのマルチキャストIDの順序に従って、送信されるべきマルチキャスト情報を有する各々のマルチキャストグループ内のSTAは、現在のDTIMビーコンフレームを受信した後、次のDTIMビーコンフレームの前で、TIMビーコンフレームの後に、そのマルチキャスト情報を受信し得る。DTIMビーコンフレームまたはTIMビーコンフレームの後に、１つまたはより多くのマルチキャストグループのマルチキャスト情報が送信され得る。例えば、図６において、送信されるべきマルチキャスト情報を有するマルチキャストグループは、それぞれ、第１マルチキャストグループ、第２マルチキャストグループ、および第３マルチキャストグループであり、３つのマルチキャストグループのマルチキャストIDが、第１マルチキャストグループから第２マルチキャストグループへ、そして第３マルチキャストグループへの降順で順位付けされると仮定する。従って、第１マルチキャストグループ内のSTAは、現在のDTIMビーコンフレームの後にウェイクアップし、それ自身のマルチキャスト情報（すなわち、第１マルチキャストグループのマルチキャスト情報）を受信し、第２マルチキャストグループ内のSTAは、現在のDTIMビーコンフレームの後の１番目のTIMビーコンフレームの後にウェイクアップし、それ自身のマルチキャスト情報（すなわち、第２マルチキャストグループのマルチキャスト情報）を受信し、第３マルチキャストグループ内のSTAは、現在のDTIMビーコンフレームの後の２番目のTIMビーコンフレームの後にウェイクアップし、それ自身のマルチキャスト情報（すなわち、第３マルチキャストグループのマルチキャスト情報）を受信する。２つのDTIMビーコンフレームの間にAPによって送信されるTIMビーコンフレームの数は、適応的に決定され得ることに留意すべきである。
【００９４】
任意選択の実現方法において、マルチキャストIDは、限定しないが、MACアドレスまたはFMS IDであり得る。
【００９５】
任意選択の実現方法において、マルチキャストIDは少なくとも１つのAIDである。すなわち、（STAが属するマルチキャストグループを含む）送信されるべきマルチキャスト情報を有するマルチキャストグループのマルチキャストIDは、少なくとも１つのAIDである。APは、どのAIDがユニキャストAIDとしての役割を果たすか、および、どのAIDがマルチキャストIDとしての役割を果たすかを決定し得る。すなわち、これは、マルチキャストIDとしての役割を果たすAIDがユニキャストAIDとしての役割を果たすAIDと異なる限り適切である。
【００９６】
マルチキャストIDがAIDであることに基づいて、DTIMビーコンフレームは、次の方法で、送信されるべきマルチキャスト情報を有するマルチキャストグループを示し得る。送信されるべきマルチキャスト情報を有するマルチキャストグループを示すために、DTIMビーコンフレーム内の部分仮想ビットマップを使用すること。例えば、部分仮想ビットマップ内のAIDに対応するビットが１ならば、マルチキャストIDとしてこのAIDを使用するマルチキャストグループが送信されるべきマルチキャスト情報を有することを示し、部分仮想ビットマップ内の複数のAIDに対応するビットが１ならば、マルチキャストIDとしてこれらのAIDを使用するマルチキャストグループが送信されるべきマルチキャスト情報を有することを示す。従って、AIDがマルチキャストIDとして使用されるとき、ビーコンフレーム内に存在するビットは、さらに、送信されるべきマルチキャスト情報を有するマルチキャストグループを通知するために使用され得る。ビーコンフレームは拡大される必要がなく、これはビーコンフレームの圧縮に導く。
【００９７】
任意選択の実現方法において、図７に表わされているように、この実施例における方法は、ステップ４０１の前に、次のステップをさらに含む。
【００９８】
ステップ４００：STAは、STAが属するマルチキャストグループのマルチキャストIDをAPから受信する。
【００９９】
ステップ４００を通して、STAは、前もって、STAが属するマルチキャストグループのマルチキャストIDを知り、そして、STAが属するマルチキャストグループのマルチキャストIDに従って、対応する受信間隔で、STAが属するマルチキャストグループのマルチキャスト情報を受信することができる。
【０１００】
任意選択の実現方法において、APは、事前にマルチキャストIDの割り当てを開始し得る。すなわち、APは、STAが属するマルチキャストグループのマルチキャストIDをSTAに事前に送信する。従って、具体的には、STAは、APによって事前に送信される、STAが属するマルチキャストグループのマルチキャストIDを受信し得る。
【０１０１】
任意選択の実現方法において、STAは、STAが属するマルチキャストグループのマルチキャストIDをAPに事前に要求し得る。従って、STAにより、STAが属するマルチキャストグループのマルチキャストIDをAPから受信することは、STAにより、マルチキャストIDを要求するための情報をAPに送信すること、そして、STAにより、STAが属するマルチキャストグループのマルチキャストIDを受信することを含み、ここで、マルチキャストIDは、マルチキャストIDを要求するための情報に従って、APによって送信される。STAによって送信される、マルチキャストIDを要求するための情報は、STAのMACアドレスまたはIPアドレス、または、STAをユニークに識別できる他の情報であり得る。APは、STAによって送信される、マルチキャストIDを要求するための情報に従ってSTAを識別し、そして、STAが属するマルチキャストグループのマルチキャストIDを決定する。任意選択で、マルチキャストIDを要求するための情報を受信した後、APは、マルチキャストIDをリアルタイムSTAに割り当て、または、予め割り当てられたマルチキャストIDを直接に取得し得る。
【０１０２】
STAは、次の任意選択の実現方法で、マルチキャストIDを要求するための情報をAPに送信し得る。STAは、マルチキャストIDを要求するための情報を要求メッセージにカプセル化し、その要求メッセージをAPに送信する。任意選択で、要求メッセージは、新たなメッセージであり得る。
【０１０３】
STAは、もう１つの任意選択の実現方法で、マルチキャストIDを要求するための情報をAPに送信し得る。STAは、新たなIEを既存の制御フレームまたは既存の管理フレームまたは既存のデータフレームに追加し、マルチキャストIDを要求するための情報をその新たなIEにカプセル化し、その既存の制御フレームまたは既存の管理フレームまたは既存のデータフレームをAPに送信する。
【０１０４】
STAは、次の任意選択の実現方法で、STAが属するマルチキャストグループのマルチキャストIDをAPから受信し得る。STAは、APによって送信される新たな管理フレームまたは新たな制御フレームを受信し、ここで、新たな管理フレームまたは新たな制御フレームは、STAが属するマルチキャストグループのマルチキャストIDを含み、従って、具体的には、STAは、STAが属するマルチキャストグループのマルチキャストIDを受信された新たな管理フレームまたは新たな制御フレームから取得する。
【０１０５】
STAは、もう１つの任意選択の実現方法で、STAが属するマルチキャストグループのマルチキャストIDをAPから受信し得る。STAは、APによって送信される既存の管理フレームまたは既存の制御フレームまたは既存のデータフレームを受信し、ここで、既存の管理フレームまたは既存の制御フレームまたは既存のデータフレームにおける新たなIEは、STAが属するマルチキャストグループのマルチキャストIDを含み、具体的には、STAは、STAが属するマルチキャストグループのマルチキャストIDを受信された既存の管理フレームまたは既存の制御フレームまたは既存のデータフレームにおける新たなIEから取得する。
【０１０６】
この実施例の任意選択の実現方法において、STAが属するマルチキャストグループのマルチキャストIDをAPから受信した後、STAはACKメッセージをAPに送信し得る。このようにして、APは、STAが属するマルチキャストグループのマルチキャストIDをSTAが受信したかどうかを早期に知ることができる。STAがACKメッセージを送信することを要求される場合、APが指定された時間内にACKメッセージを受信しないならば、APは、STAが属するマルチキャストグループのマルチキャストIDをSTAに再度送信する必要がある。
【０１０７】
任意選択の実現方法において、APは、さらに、マルチキャストIDを登録抹消する処理を開始し得る。例えば、APは、マルチキャストID登録抹消メッセージをSTAに送信し、ここで、マルチキャストID登録抹消メッセージは、STAが属するマルチキャストグループのマルチキャストIDを登録抹消する登録抹消指示を搬送する。従って、この実施例における方法は、STAにより、APによって送信されるマルチキャストID登録抹消メッセージを受信し、従って、STAが属するマルチキャストグループとの結合を取り消す必要性を知り、従って、マルチキャストグループとの結合関係を取り消すことをさらに含む。任意選択で、マルチキャストID登録抹消メッセージを受信した後、STAは、マルチキャストID登録抹消メッセージが受信されたことをAPに通知するために、ACKメッセージをAPに送信し得る。これに対応して、マルチキャストID登録抹消メッセージをSTAに送信した後、APは、STAによって送信されるACKメッセージを受信する。STAがACKメッセージを送信することを要求される場合、APが指定された時間内にACKメッセージを受信しないならば、マルチキャストID登録抹消メッセージはACKメッセージを受信していない該当するSTAに再度送信される必要がある。
【０１０８】
APは、次の任意選択の実現方法で、マルチキャストID登録抹消メッセージをSTAに送信し得る。APは、新たな管理フレームまたは制御フレームを使用し、マルチキャストID登録抹消メッセージをその新たな管理フレームまたは制御フレームにカプセル化し、そのフレームをSTAに送信する。これに対応して、STAは、APによって送信される新たな管理フレームまたは制御フレームまたはデータフレームを受信し、マルチキャストID登録抹消メッセージを受信された新たな管理フレームまたは制御フレームまたはデータフレームから取得する。
【０１０９】
APは、もう１つの任意選択の実現方法で、マルチキャストID登録抹消メッセージをSTAに送信し得る。APは、新たなIEを既存の管理フレームまたは制御フレームまたはデータフレームに追加し、マルチキャストID登録抹消メッセージをその新たなIEにカプセル化し、その既存の管理フレームまたは制御フレームまたはデータフレームを該当するSTAに送信する。これに対応して、STAは、APによって送信される既存の管理フレームまたは制御フレームまたはデータフレームを受信し、マルチキャストID登録抹消メッセージを受信された既存の管理フレームまたは制御フレームまたはデータフレームから取得する。
【０１１０】
任意選択の実現方法において、マルチキャストIDの登録抹消の処理は、また、STAによって事前に開始され得る。例えば、STAが属するマルチキャストグループとの結合関係を取り消す必要があるとき、STAは、マルチキャストID登録抹消要求をAPに送信し、それによって、APは、マルチキャストID登録抹消要求に従って、STAが属するマルチキャストグループのマルチキャストIDを登録抹消する。これに対応して、APは、STAによって送信されるマルチキャストID登録抹消要求を受信し、任意選択で、マルチキャストID登録抹消要求は、STAが属するマルチキャストグループのマルチキャストID、すなわち、登録抹消されるべきマルチキャストIDを含み得る。任意選択で、マルチキャストID登録抹消要求を受信した後、APは、ACKメッセージをSTAに送信し得る。これに対応して、STAは、APによって送信されるACKメッセージを受信し、それによって、APがマルチキャストID登録抹消要求を受信したことを早期に知り、マルチキャストIDの適時の登録抹消を容易にする。APがACKメッセージを返信することを要求される場合、STAが指定された時間内にAPからACKメッセージを受信しないならば、STAはマルチキャストID登録抹消要求をAPに再度送信する必要がある。
【０１１１】
STAは、次の任意選択の実現方法で、マルチキャストID登録抹消要求をAPに送信し得る。STAは、新たな要求メッセージを使用し、マルチキャストID登録抹消要求をその新たな要求メッセージにカプセル化し、その要求メッセージをAPに送信する。
【０１１２】
STAは、もう１つの任意選択の実現方法で、マルチキャストID登録抹消要求をAPに送信し得る。STAは、新たなIEを既存の制御フレームまたは管理フレームまたはデータフレームに追加し、マルチキャストID登録抹消要求をその新たなIEにカプセル化し、その既存の制御フレームまたは管理フレームまたはデータフレームをAPに送信する。
【０１１３】
任意選択の実現方法において、APは、さらに、マルチキャストIDの変更を開始し得る。例えば、APは、マルチキャストID変更メッセージをSTAに送信し、ここで、マルチキャストID変更メッセージは、STAが属するマルチキャストグループの変更されたマルチキャストIDを含む。任意選択で、マルチキャストID変更メッセージは、さらに、STAが属するマルチキャストグループの元のマルチキャストIDを含み得る。マルチキャストグループについて、マルチキャストグループの元のマルチキャストIDは、変更されるべきマルチキャストIDであり、マルチキャストグループの新たなマルチキャストIDは、変更されたマルチキャストIDを指す。従って、この実施例における方法は、STAにより、APによって送信されるマルチキャストID変更メッセージを受信し、従って、マルチキャストIDが変更される必要があることを知り、変更されたマルチキャストIDを決定することをさらに含む。そして、STAは、マルチキャストID変更メッセージに含まれる、STAが属するマルチキャストグループの変更されたマルチキャストIDに従って、STAが属するマルチキャストグループのマルチキャストIDを更新する。任意選択で、APによって送信されるマルチキャストID変更メッセージを受信した後、STAはACKメッセージをAPに送信し得る。STAがACKメッセージを送信することを要求される場合、APが指定された時間内にACKメッセージを受信しないならば、マルチキャストID変更メッセージは、ACKメッセージを受信していない該当するSTAに再度送信される必要がある。
【０１１４】
APは、次の任意選択の実現方法で、マルチキャストID変更メッセージをSTAに送信し得る。APは、新たな管理フレームまたは制御フレームを使用し、マルチキャストID変更メッセージをその新たな管理フレームまたは制御フレームにカプセル化し、そのフレームをSTAに送信する。これに対応して、STAは、APによって送信される新たな管理フレームまたは制御フレームを受信し、マルチキャストID変更メッセージを受信された新たな管理フレームまたは制御フレームから取得する。
【０１１５】
APは、もう１つの任意選択の実現方法で、マルチキャストID変更メッセージをSTAに送信し得る。APは、新たなIEを既存の管理フレームまたは制御フレームまたはデータフレームに追加し、マルチキャストID変更メッセージをその新たなIEにカプセル化し、その既存の管理フレームまたは制御フレームまたはデータフレームを該当するSTAに送信する。これに対応して、STAは、APによって送信される既存の管理フレームまたは制御フレームまたはデータフレームを受信し、マルチキャストID変更メッセージを受信された既存の管理フレームまたは制御フレームまたはデータフレームにおける新たなIEから取得する。
【０１１６】
任意選択の実現方法において、マルチキャストIDの変更は、また、STAによって事前に開始され得る。従って、この実施例における方法は、マルチキャストIDを変更する必要があるとき、STAにより、マルチキャストID変更要求をAPに送信し、そして、APによってマルチキャストID変更要求に従って送信されるマルチキャストID変更メッセージを受信することをさらに含む。これに対応して、APは、STAによって送信されるマルチキャストID変更要求を受信し、マルチキャストID変更要求に従って、変更されたマルチキャストIDをSTAに送信する。マルチキャストID変更要求は、STAのMACアドレスまたはIPアドレス、または、STAをユニークに識別できる他の情報を含み得る。任意選択で、APは、マルチキャストID変更要求において搬送される情報に従って、新たなマルチキャストIDをSTAに割り当て、そして、変更されたマルチキャストIDとして新たに割り当てられたマルチキャストIDをSTAに送信し得る。
【０１１７】
STAは、次の任意選択の実現方法で、マルチキャストID変更要求をAPに送信し得る。STAは、要求メッセージを使用し、マルチキャストID変更要求をその要求メッセージにカプセル化し、その要求メッセージをAPに送信する。ここで、要求メッセージは、また、新たな要求メッセージであり得る。
【０１１８】
STAは、もう１つの任意選択の実現方法で、マルチキャストID変更要求をAPに送信し得る。STAは、新たなIEを既存の制御フレームまたは管理フレームまたはデータフレームに追加し、マルチキャストID変更要求をその新たなIEにカプセル化し、その既存の制御フレームまたは管理フレームまたはデータフレームをAPに送信する。
【０１１９】
前述の実現方法は、STAがどのように、STAが属するマルチキャストグループのマルチキャストIDを受信し、マルチキャストIDを登録抹消し、マルチキャストIDを変更し、マルチキャストIDの管理を実現するか、に関して複数の実現される解決手段を与え、実現することは簡単で容易である。
【０１２０】
上記から分かるように、本発明の実施例において提供されるマルチキャスト情報受信方法において、STAは、APによって送信されるDTIMビーコンフレームを受信し、そのDTIMビーコンフレームに従って、送信されるべきマルチキャスト情報を有するマルチキャストグループを知り、そして、STAは、送信されるべきマルチキャスト情報を有する全てのマルチキャストグループのマルチキャストIDのうちの、STAが属するマルチキャストグループのマルチキャストIDの順序に従って、対応する受信間隔で、STAが属するマルチキャストグループのマルチキャスト情報を受信し、それによって、先行技術における、各々のSTAがビーコンフレームの後の全てのマルチキャスト情報を受信するという課題を解決し、この課題によって引き起こされるSTAリソースの浪費を減少させる。
【０１２１】
さらに、この実施例において提供されるマルチキャスト情報受信方法において、AIDはマルチキャストIDとして使用される。FMS IDを使用する先行技術と比較して、マルチキャストIDとしての役割を果たすAIDはAPによって指定することができ、STAはAPとネゴシエーションする必要がなく、それによって、実現は比較的柔軟である。さらに、マルチキャストIDとしての役割を果たすAIDは、マルチキャスト情報の送信周期について要求条件を課さず、マルチキャスト情報の定期的な送信およびマルチキャスト情報のランダムな送信の両方をサポートし、より多くのアプリケーションシナリオに適用可能である。さらに、マルチキャストIDとしての役割を果たすAIDリソースはFMS IDより豊富であり、これはFMS IDによってサポートされる制限された数のマルチキャスト周期によって引き起こされる制限されたマルチキャストアプリケーションの課題をある程度解決する。
【０１２２】
先行技術において、FMSモードが進んでいる。FMSモードで動作するSTAは、DTIMビーコンフレームを聴取する周期についてAPとネゴシエーションでき、それによって、各々のDTIMビーコンフレームを聴取する必要がない。しかし、FMSモードは多くて８個の異なる周期をサポートし、これは、８ビットのFMS IDによって識別され、実際の適用において柔軟性を制限する。そのような課題に対処するため、本発明の次の実施例は、先行技術において、FMS IDによってサポートされる制限された数のマルチキャスト周期によってマルチキャストアプリケーションが制限される課題を解決する、マルチキャスト識別子送信方法およびマルチキャスト識別子受信方法を提供する。
【０１２３】
図８は、本発明の実施例によるマルチキャスト識別子送信方法のフローチャートである。この実施例を実現するためのエンティティはAPである。図８に表されているように、この実施例における方法は次のステップを含む。
【０１２４】
ステップ７０１：STAが属するマルチキャストグループのマルチキャスト識別子IDを決定し、ここで、STAが属するマルチキャストグループのマルチキャストIDは、AIDにマッピングされる。
【０１２５】
ステップ７０２：STAが属するマルチキャストグループのマルチキャストIDをSTAに送信する。
【０１２６】
APは、次の任意選択の実現方法で、ステーションSTAが属するマルチキャストグループのマルチキャストIDを決定し得る。APは、STAが属するマルチキャストグループのマルチキャストIDを１つのAIDにマッピングする。
【０１２７】
APは、もう１つの任意選択の実現方法で、ステーションSTAが属するマルチキャストグループのマルチキャストIDを決定し得る。APは、STAが属するマルチキャストグループのマルチキャストIDを少なくとも２つのAIDにマッピングする。
【０１２８】
従って、APは、次の方法に限定しないが、次の任意選択の実現方法で、STAが属するマルチキャストグループのマルチキャストIDを１つのAIDにマッピングし得る。
【０１２９】
APは、STAが属するマルチキャストグループのマルチキャストIDをAIDにおけるいずれかのページ、ブロック、および／または、サブブロックにマッピングする。
【０１３０】
APは、STAが属するマルチキャストグループのマルチキャストIDをAIDにおける予め指定されたページ、ブロック、および／または、サブブロックにマッピングする。
【０１３１】
従って、APは、次の方法に限定しないが、次の任意選択の実現方法で、STAが属するマルチキャストグループのマルチキャストIDを少なくとも２つのAIDにマッピングし得る。
【０１３２】
APは、STAが属するマルチキャストグループのマルチキャストIDを少なくとも２つのAIDにおける異なるページ、ブロック、および／または、サブブロックにマッピングする。
【０１３３】
APは、STAが属するマルチキャストグループのマルチキャストIDを少なくとも２つのAIDにおける同じページ、ブロック、および／または、サブブロックにマッピングする。
【０１３４】
任意選択の実現方法において、APは、事前にマルチキャストIDの割り当てを開始し得る。従って、APは、STAが属するマルチキャストグループのマルチキャストIDを該当するSTAに事前に送信し得る。
【０１３５】
任意選択の実現方法において、STAは、STAが属するマルチキャストグループのマルチキャストIDをAPに事前に要求し得る。従って、APは、次の実現方法で、STAが属するマルチキャストグループのマルチキャストIDをSTAに送信し得る。STAによって送信される、マルチキャストIDを要求するための情報を受信し、そして、マルチキャストIDを要求するための情報に従って、STAが属するマルチキャストグループのマルチキャストIDをSTAに送信すること。
【０１３６】
APは、次の実現方法で、STAによって送信される、マルチキャストIDを要求するための情報を受信し得る。APは、STAによって送信される要求メッセージを受信し、ここで、要求メッセージは、マルチキャストIDを要求するための情報を含む。任意選択で、要求メッセージは、新たなメッセージであり得る。
【０１３７】
APは、もう１つの実現方法で、STAによって送信される、マルチキャストIDを要求するための情報を受信し得る。APは、STAによって送信される既存の制御フレームまたは既存の管理フレームまたは既存のデータフレームを受信し、ここで、既存の制御フレームまたは既存の管理フレームまたは既存のデータフレームにおける新たなIEは、マルチキャストIDを要求するための情報を含む。
【０１３８】
任意選択の実現方法において、APは、次の実現方法で、STAが属するマルチキャストグループのマルチキャストIDをSTAに送信し得る。APは、STAが属するマルチキャストグループのマルチキャストIDを新たな管理フレームまたは新たな制御フレームにカプセル化し、そのフレームをSTAに送信する。
【０１３９】
任意選択の実現方法において、APは、もう１つの実現方法で、STAが属するマルチキャストグループのマルチキャストIDをSTAに送信し得る。APは、新たなIEを既存の管理フレームまたは既存の制御フレームまたは既存のデータフレームに追加し、STAが属するマルチキャストグループのマルチキャストIDをその新たなIEにカプセル化し、その既存の管理フレームまたは既存の制御フレームまたは既存のデータフレームをSTAに送信する。
【０１４０】
任意選択の実現方法において、APが、STAが属するマルチキャストグループのマルチキャストIDをSTAに送信した後、この方法は、APにより、STAによって送信されるACKメッセージを受信することをさらに含む。このようにして、APは、STAが属するマルチキャストグループのマルチキャストIDをSTAが受信したかどうかを早期に好都合に知ることができる。STAがACKメッセージを返信することを要求される場合、APが指定された時間内にACKメッセージを受信しないならば、APは、STAが属するマルチキャストグループのマルチキャストIDをSTAに再度送信する必要がある。
【０１４１】
任意選択の実現方法において、APは、さらに、マルチキャストIDを登録抹消する処理を開始し得る。従って、この実施例における方法は、さらに、APにより、マルチキャストID登録抹消メッセージをSTAに送信することを含み得る。ここで、マルチキャストID登録抹消メッセージは、STAが属するマルチキャストグループのマルチキャストIDを登録抹消する登録抹消指示を含む。任意選択で、マルチキャストID登録抹消メッセージは、さらに、登録抹消されるべきマルチキャストID、すなわち、STAが属するマルチキャストグループのマルチキャストIDを含み得る。
【０１４２】
APは、次の任意選択の実現方法で、マルチキャストID登録抹消メッセージをSTAに送信し得る。APは、新たな管理フレームまたは制御フレームを使用し、マルチキャストID登録抹消メッセージをその新たな管理フレームまたは制御フレームにカプセル化し、そのフレームをSTAに送信する。
【０１４３】
APは、もう１つの任意選択の実現方法で、マルチキャストID登録抹消メッセージをSTAに送信し得る。APは、新たなIEを既存の管理フレームまたは制御フレームまたはデータフレームに追加し、マルチキャストID登録抹消メッセージをその新たなIEにカプセル化し、その既存の管理フレームまたは制御フレームまたはデータフレームを該当するSTAに送信する。
【０１４４】
任意選択の実現方法で、APが、STAが属するマルチキャストグループのマルチキャストIDをSTAに送信した後、この方法は、APにより、STAによって送信されるマルチキャストID登録抹消要求を受信し、マルチキャストID登録抹消要求に従って、STAが属するマルチキャストグループのマルチキャストIDを登録抹消することをさらに含み得る。
【０１４５】
任意選択の実現方法において、APは、さらに、マルチキャストIDの変更を開始し得る。従って、この実施例における方法は、APにより、マルチキャストID変更メッセージをSTAに送信することをさらに含み、ここで、マルチキャストID変更メッセージは、STAが属するマルチキャストグループの変更されたマルチキャストIDを含む。任意選択で、マルチキャストID変更メッセージは、さらに、変更されるべきマルチキャストID、すなわち、STAが属するマルチキャストグループの元のマルチキャストIDを含み得る。マルチキャストグループについて、ここでは、変更されるべきマルチキャストIDは、マルチキャストグループの元のマルチキャストIDであり、変更されたマルチキャストIDは、マルチキャストグループによって使用される新たなマルチキャストIDである。
【０１４６】
任意選択で、APは、次の実現方法で、マルチキャストID変更メッセージをSTAに送信し得る。APは、STAによって送信されるマルチキャストID変更要求を受信し、マルチキャストID変更要求に従って、マルチキャストID変更メッセージをSTAに送信する。
【０１４７】
APは、次の任意選択の実現方法で、マルチキャストID変更メッセージをSTAに送信し得る。APは、新たな管理フレームまたは制御フレームを使用し、マルチキャストID変更メッセージをその新たな管理フレームまたは制御フレームにカプセル化し、そのフレームをSTAに送信する。
【０１４８】
APは、もう１つの任意選択の実現方法で、マルチキャストID変更メッセージをSTAに送信し得る。APは、新たなIEを既存の管理フレームまたは制御フレームまたはデータフレームに追加し、マルチキャストID変更メッセージをその新たなIEにカプセル化し、その既存の管理フレームまたは制御フレームまたはデータフレームを該当するSTAに送信する。
【０１４９】
上記の実現方法の詳細について、前述のマルチキャスト情報送信方法の実施例についての説明が参照され得る。ここでさらに繰り返して説明しない。
【０１５０】
上記から分かるように、この実施例において提供されるマルチキャスト識別子送信方法において、AIDがマルチキャストグループのマルチキャストIDとして使用され、APは、STAが属するマルチキャストグループのマルチキャストIDをSTAに送信し、それによって、STAは、STAが属するマルチキャストグループのマルチキャストIDを取得できる。AIDリソースの豊富さのおかげで、先行技術における、FMS IDによってサポートされる制限された数のマルチキャスト周期によって引き起こされる制限されたマルチキャストアプリケーションの課題はある程度解決される。さらに、この実施例において、AIDはマルチキャストグループのマルチキャストIDとして使用される。FMS IDを使用する先行技術と比較して、マルチキャストIDとしての役割を果たすAIDはAPによって指定することができ、STAはAPとネゴシエーションする必要がなく、それによって、実現は比較的柔軟である。さらに、マルチキャストIDとしての役割を果たすAIDは、マルチキャスト情報の送信周期について要求条件を課さず、マルチキャスト情報の定期的な送信およびマルチキャスト情報のランダムな送信の両方をサポートし、より多くのアプリケーションシナリオに適用可能である。
【０１５１】
図９は、本発明の実施例によるマルチキャスト識別子受信方法のフローチャートである。図９に表されているように、この実施例における方法は次のステップを含む。
【０１５２】
ステップ８０１：STAは、STAが属するマルチキャストグループのマルチキャスト識別子IDをAPから受信し、ここで、STAが属するマルチキャストグループのマルチキャストIDは、AIDにマッピングされる。
【０１５３】
ステップ８０２：STAは、STAが属するマルチキャストグループのマルチキャストIDを記録する。
【０１５４】
任意選択の実現方法において、APは、マルチキャストIDの割り当てを開始し得る。従って、STAは、次の具体的な方法で、STAが属するマルチキャストグループのマルチキャストIDをAPから受信し得る。STAは、STAが属するマルチキャストグループのマルチキャストIDを受信し、ここで、マルチキャストIDは、APによって事前に送信される。
【０１５５】
任意選択の実現方法において、STAは、マルチキャストIDの割り当てを開始し得る。従って、STAは、次の具体的な方法で、STAが属するマルチキャストグループのマルチキャスト識別子IDをAPから受信し得る。STAは、マルチキャストIDを要求するための情報をAPに送信し、そして、STAが属するマルチキャストグループのマルチキャスト識別子IDを受信し、ここで、マルチキャストIDは、マルチキャストIDを要求するための情報に従って、APによって送信される。
【０１５６】
STAは、次の任意選択の実現方法で、マルチキャストIDを要求するための情報をAPに送信し得る。STAは、マルチキャストIDを要求するための情報を要求メッセージにカプセル化し、その要求メッセージをAPに送信する。任意選択で、要求メッセージは、新たなメッセージであり得る。
【０１５７】
STAは、もう１つの任意選択の実現方法で、マルチキャストIDを要求するための情報をAPに送信し得る。STAは、新たなIEを既存の制御フレームまたは既存の管理フレームまたは既存のデータフレームに追加し、マルチキャストIDを要求するための情報をその新たなIEにカプセル化し、その既存の制御フレームまたは既存の管理フレームまたは既存のデータフレームをAPに送信する。
【０１５８】
STAは、次の実現方法で、STAが属するマルチキャストグループのマルチキャスト識別子IDをAPから受信し得る。STAは、APによって送信される新たな管理フレームまたは新たな制御フレームを受信し、ここで、新たな管理フレームまたは新たな制御フレームは、STAが属するマルチキャストグループのマルチキャストIDを含む。
【０１５９】
STAは、もう１つの実現方法で、STAが属するマルチキャストグループのマルチキャスト識別子IDをAPから受信し得る。STAは、APによって送信される既存の管理フレームまたは既存の制御フレームまたは既存のデータフレームを受信し、ここで、既存の管理フレームまたは既存の制御フレームまたは既存のデータフレームにおける新たなIE は、STAが属するマルチキャストグループのマルチキャストIDを含む。
【０１６０】
任意選択の実現方法において、この方法は、STAが属するマルチキャストグループのマルチキャストIDをSTAがAPから受信した後、STAにより、ACKメッセージをAPに送信することを含む。
【０１６１】
任意選択の実現方法において、APは、さらに、マルチキャストIDを登録抹消する処理を開始し得る。従って、この実施例における方法は、STAにより、APによって送信されるマルチキャストID登録抹消メッセージを受信することをさらに含み、ここで、マルチキャストID登録抹消メッセージは、STAが属するマルチキャストグループのマルチキャストIDを登録抹消する登録抹消指示を含む。任意選択で、マルチキャストID登録抹消メッセージを受信した後、STAは、マルチキャストID登録抹消メッセージが受信されたことをAPに通知するために、ACKメッセージをAPに送信し得る。
【０１６２】
APは、次の任意選択の実現方法で、マルチキャストID登録抹消メッセージをSTAに送信し得る。APは、新たな管理フレームまたは制御フレームを使用し、マルチキャストID登録抹消メッセージをその新たな管理フレームまたは制御フレームにカプセル化し、そのフレームをSTAに送信する。これに対応して、STAは、APによって送信される新たな管理フレームまたは制御フレームを受信し、マルチキャストID登録抹消メッセージを受信された新たな管理フレームまたは制御フレームから取得する。
【０１６３】
任意選択の実現方法において、マルチキャストIDを登録抹消する処理は、また、STAによって事前に開始され得る。従って、この実施例における方法は、STAが属するマルチキャストグループとの結合関係を取り消す必要があるとき、STAにより、マルチキャストID登録抹消要求をAPに送信することをさらに含み、それによって、APは、マルチキャストID登録抹消要求に従って、STAが属するマルチキャストグループのマルチキャストIDを登録抹消し、それによって、マルチキャストグループとの結合を取り消す。
【０１６４】
STAは、次の任意選択の実現方法で、マルチキャストID登録抹消要求をAPに送信し得る。STAは、新たな要求メッセージを使用し、マルチキャストID登録抹消要求をその新たな要求メッセージにカプセル化し、その要求メッセージをAPに送信する。
【０１６５】
STAは、もう１つの任意選択の実現方法で、マルチキャストID登録抹消要求をAPに送信し得る。STAは、新たなIEを既存の制御フレームまたは管理フレームまたはデータフレームに追加し、マルチキャストID登録抹消要求をその新たなIEにカプセル化し、その既存の制御フレームまたは管理フレームまたはデータフレームをAPに送信する。
【０１６６】
任意選択の実現方法において、APは、さらに、マルチキャストIDの変更を開始し得る。従って、この実施例における方法は、STAにより、APによって送信されるマルチキャストID変更メッセージを受信することをさらに含み、ここで、マルチキャストID変更メッセージは、STAが属するマルチキャストグループの変更されたマルチキャストIDを含む。マルチキャストID変更メッセージに従って、STAは、マルチキャストIDを変更する必要性を知り、変更されたマルチキャストIDを決定し、そして、マルチキャストID変更メッセージに含まれる、STAが属するマルチキャストグループの変更されたマルチキャストIDに従って、STAが属するマルチキャストグループのマルチキャストIDを更新する。
【０１６７】
任意選択の実現方法において、マルチキャストIDの変更は、また、STAによって事前に開始され得る。従って、STAは、次の実現方法で、マルチキャストID変更メッセージをAPから受信し得る。マルチキャストIDを変更する必要があるとき、STAは、マルチキャストID変更要求をAPに送信し、そして、APによってマルチキャストID変更要求に従って送信されるマルチキャストID変更メッセージを受信し得る。
【０１６８】
STAは、次の任意選択の実現方法で、マルチキャストID変更要求をAPに送信し得る。STAは、要求メッセージを使用し、マルチキャストID変更要求をその要求メッセージにカプセル化し、その要求メッセージをAPに送信する。ここで、要求メッセージは、また、新たなメッセージであり得る。
【０１６９】
STAは、もう１つの任意選択の実現方法で、マルチキャストID変更要求をAPに送信し得る。STAは、新たなIEを既存の制御フレームまたは管理フレームまたはデータフレームに追加し、マルチキャストID変更要求をその新たなIEにカプセル化し、その既存の制御フレームまたは管理フレームまたはデータフレームをAPに送信する。
【０１７０】
前述の実現方法は、STAがどのように、STAが属するマルチキャストグループのマルチキャストIDを受信し、マルチキャストIDを登録抹消し、マルチキャストIDを変更し、マルチキャストIDの管理を実現するか、に関して複数の実現される解決手段を与え、実現することは簡単で容易である。
【０１７１】
上記の実現方法の詳細について、前述のマルチキャスト情報送信方法の実施例についての説明が参照され得る。ここでさらに繰り返して説明しない。
【０１７２】
上記から分かるように、この実施例において提供されるマルチキャスト識別子受信方法において、AIDがマルチキャストグループのマルチキャストIDとして使用され、STAは、STAが属するマルチキャストグループのマルチキャストIDをAPから受信し、そして、AIDリソースの豊富さを利用し、それによって、先行技術における、FMS IDによってサポートされる制限された数のマルチキャスト周期によって引き起こされる制限されたマルチキャストアプリケーションの課題はある程度解決される。さらに、この実施例において、AIDはマルチキャストグループのマルチキャストIDとして使用される。FMS IDを使用する先行技術と比較して、マルチキャストIDとしての役割を果たすAIDはAPによって指定することができ、STAはAPとネゴシエーションする必要がなく、それによって、実現は比較的柔軟である。さらに、マルチキャストIDとしての役割を果たすAIDは、マルチキャスト情報の送信周期について要求条件を課さず、マルチキャスト情報の定期的な送信およびマルチキャスト情報のランダムな送信の両方をサポートし、より多くのアプリケーションシナリオに適用可能である。
【０１７３】
図１０は、本発明の実施例によるAPの概要の構成図である。図１０に表されているように、この実施例におけるAPは、第１送信モジュール１００１および第２送信モジュール１００２を含む。
【０１７４】
第１送信モジュール１００１は、DTIMビーコンフレームをSTAに送信するように構成され、ここで、DTIMビーコンフレームは、送信されるべきマルチキャスト情報を有するマルチキャストグループを示すために使用される。第１送信モジュール１００１は、第２送信モジュール１００２に接続され、送信されるべきマルチキャスト情報を有するマルチキャストグループについての情報を第２送信モジュール１００２に提供するように構成される。
【０１７５】
第２送信モジュール１００２は、送信されるべきマルチキャスト情報を有するマルチキャストグループのマルチキャスト識別子IDの順序に従って、予め設定された送信間隔で、送信されるべきマルチキャスト情報を有するマルチキャストグループのマルチキャスト情報を送信するように構成され、それによって、STAは、STAが属するマルチキャストグループに対応する受信間隔で、STAが属するマルチキャストグループのマルチキャスト情報を受信する。
【０１７６】
この実施例において提供されるAPの機能モジュールは、図１に表わされているマルチキャスト情報送信方法の手順を実現するように構成され得る。これらのモジュールの詳細な動作原理はここではさらに説明されず、方法の実施例における説明が参照され得る。
【０１７７】
この実施例におけるAPは、DTIMビーコンフレームをSTAに送信し、ここで、DTIMビーコンフレームは、送信されるべきマルチキャスト情報を有するマルチキャストグループを示す。そして、送信されるべきマルチキャスト情報を有するマルチキャストグループのマルチキャストIDの順序に従って、各々の送信間隔で、APはマルチキャストグループのマルチキャスト情報を送信する。従って、STAが属するマルチキャストグループのマルチキャストIDに従って、STAは、対応する受信間隔で、しかし、他のマルチキャストグループのマルチキャスト情報を受信することなく、STAが属するマルチキャストグループのマルチキャスト情報を受信でき、それによって、先行技術における、STAがビーコンフレームを受信した後にビーコンフレームの後の全てのマルチキャスト情報を受信する必要があるという課題を解決し、この課題によって引き起こされるSTAリソースの浪費を減少させ、これは低電力消費を要求するSTAに特に適している。
【０１７８】
図１１は、本発明のもう１つの実施例によるAPの概要の構成図である。この実施例は、図１０に表されている実施例に基づいて実現される。図１１に表されているように、この実施例におけるAPは、第１送信モジュール１００１および第２送信モジュール１００２も含み、加えて、この実施例におけるAPは、第３送信モジュール１００３をさらに含む。
【０１７９】
第３送信モジュール１００３は、第１送信モジュール１００１がDTIMビーコンフレームをSTAに送信する前に、STAが属するマルチキャストグループのマルチキャストIDをSTAに送信するように構成される。任意選択で、第３送信モジュール１００３は、第１送信モジュール１００１に接続される。
【０１８０】
任意選択の実現方法において、この実施例におけるAPは、マッピングモジュール１００４をさらに含む。マッピングモジュール１００４は、第３送信モジュール１００３に接続され、第３送信モジュール１００３が、STAが属するマルチキャストグループのマルチキャストIDをSTAに送信する前に、STAが属するマルチキャストグループのマルチキャストIDをAIDにマッピングするように構成される。
【０１８１】
マッピングモジュール１００４は、STAが属するマルチキャストグループのマルチキャストIDをAIDにマッピングするように構成され得る。例えば、マッピングモジュール１００４は、具体的には、STAが属するマルチキャストグループのマルチキャストIDをAIDにおけるいずれかのページ、ブロック、および／または、サブブロックにマッピングするように構成される、または、マッピングモジュール１００４は、具体的には、STAが属するマルチキャストグループのマルチキャストIDをAIDにおける予め指定されたページ、ブロック、および／または、サブブロックにマッピングするように構成される。
【０１８２】
マッピングモジュール１００４は、さらに、STAが属するマルチキャストグループのマルチキャストIDを少なくとも２つのAIDにマッピングするように構成され得る。例えば、マッピングモジュール１００４は、具体的には、STAが属するマルチキャストグループのマルチキャストIDを少なくとも２つのAIDにおける異なるページ、ブロック、および／または、サブブロックにマッピングするように構成される、または、マッピングモジュール１００４は、具体的には、STAが属するマルチキャストグループのマルチキャストIDを少なくとも２つのAIDにおける同じページ、ブロック、および／または、サブブロックにマッピングするように構成される。
【０１８３】
マルチキャストIDがAIDであることに基づいて、DTIMビーコンフレームは、次の方法で、送信されるべきマルチキャスト情報を有するマルチキャストグループを示し得る。送信されるべきマルチキャスト情報を有するマルチキャストグループを示すために、DTIMビーコンフレーム内の部分仮想ビットマップを使用すること。
【０１８４】
任意選択の実現方法において、第３送信モジュール１００３は、具体的には、STAが属するマルチキャストグループのマルチキャストIDを管理フレームまたは制御フレームにカプセル化し、そのフレームをSTAに送信するように構成される、または、
第３送信モジュール１００３は、具体的には、新たなIEを既存の管理フレームまたは既存の制御フレームまたは既存のデータフレームに追加し、STAが属するマルチキャストグループのマルチキャストIDをその新たなIEにカプセル化し、その既存の管理フレームまたは既存の制御フレームまたは既存のデータフレームをSTAに送信するように構成される。
【０１８５】
任意選択の実現方法において、この実施例におけるAPは、第１受信モジュール１００５をさらに含む。第１受信モジュール１００５は、STAによって送信される、マルチキャストIDを要求するための情報を受信するように構成される。従って、第３送信モジュール１００３は、具体的には、第１受信モジュール１００５によって受信される、マルチキャストIDを要求するための情報に従って、STAが属するマルチキャストグループのマルチキャストIDをSTAに送信するように構成される。任意選択で、第１受信モジュール１００５は、第３送信モジュール１００３に接続され、マルチキャストIDを要求するための情報を第３送信モジュールに提供するように構成される。
【０１８６】
第１受信モジュール１００５は、具体的には、STAによって送信される要求メッセージを受信するように構成され、ここで、要求メッセージは、マルチキャストIDを要求するための情報を含む、または、
第１受信モジュール１００５は、具体的には、STAによって送信される、既存の制御フレームまたは既存の管理フレームまたは既存のデータフレームを受信するように構成され、ここで、既存の制御フレームまたは既存の管理フレームまたは既存のデータフレームにおける新たなIEは、マルチキャストIDを要求するための情報を含む。
【０１８７】
任意選択の実現方法において、この実施例におけるAPは、第２受信モジュール１００６をさらに含む。第２受信モジュール１００６は、STAによって送信される肯定応答メッセージを受信するように構成される。任意選択で、第２受信モジュール１００６は、第３送信モジュールに接続され、第３送信モジュール１００３が、STAが属するマルチキャストグループのマルチキャストIDをSTAに送信した後、肯定応答メッセージをSTAから受信するように構成される。
【０１８８】
任意選択の実現方法において、この実施例におけるAPは、第４送信モジュール１００７をさらに含む。第４送信モジュール１００７は、第３送信モジュール１００３が、STAが属するマルチキャストグループのマルチキャストIDをSTAに送信した後、マルチキャストID変更メッセージをSTAに送信するように構成され、ここで、マルチキャストID変更メッセージは、STAが属するマルチキャストグループの変更されたマルチキャストIDを含む。第４送信モジュール１００７は、第３送信モジュール１００３に接続される。
【０１８９】
任意選択の実現方法において、この実施例におけるAPは、第３受信モジュール１００８をさらに含む。第３受信モジュール１００８は、STAによって送信されるマルチキャストID変更要求を受信するように構成される。従って、第４送信モジュール１００７は、具体的には、第３受信モジュール１００８によって受信されるマルチキャストID変更要求に従って、マルチキャストID変更メッセージをSTAに送信するように構成される。任意選択で、第４送信モジュール１００７は、第３受信モジュール１００８に接続される。
【０１９０】
任意選択の実現方法において、この実施例におけるAPは、第５送信モジュール１００９をさらに含む。第５送信モジュール１００９は、第３送信モジュール１００３が、STAが属するマルチキャストグループのマルチキャストIDをSTAに送信した後、マルチキャストID登録抹消メッセージをSTAに送信するように構成され、ここで、マルチキャストID登録抹消メッセージは、STAが属するマルチキャストグループのマルチキャストIDを登録抹消する登録抹消指示を含む。任意選択で、第５送信モジュール１００９は、第３送信モジュール１００３に接続される。
【０１９１】
任意選択の実現方法において、この実施例におけるAPは、第４受信モジュール１０１０および第１登録抹消モジュール１０１１をさらに含む。
【０１９２】
第４受信モジュール１０１０は、第３送信モジュール１００３が、STAが属するマルチキャストグループのマルチキャストIDをSTAに送信した後、マルチキャストID登録抹消要求をSTAから受信するように構成される。任意選択で、第４受信モジュール１０１０は、第３送信モジュール１００３に接続される。
【０１９３】
第１登録抹消モジュール１０１１は、第４受信モジュール１０１０に接続され、第４受信モジュール１０１０によって受信されるマルチキャストID登録抹消要求に従って、STAが属するマルチキャストグループのマルチキャストIDを登録抹消するように構成される。
【０１９４】
この実施例において提供されるAPの機能モジュールは、前述の実施例において提供されるマルチキャスト情報送信方法の対応する手順を実現するように構成され得る。これらのモジュールの詳細な動作原理はここではさらに説明されず、方法の実施例における説明が参照され得る。
【０１９５】
この実施例におけるAPは、DTIMビーコンフレームをSTAに送信し、ここで、DTIMビーコンフレームは、送信されるべきマルチキャスト情報を有するマルチキャストグループを示す。そして、送信されるべきマルチキャスト情報を有するマルチキャストグループのマルチキャストIDの順序に従って、各々の送信間隔で、APはマルチキャストグループのマルチキャスト情報を送信する。従って、STAが属するマルチキャストグループのマルチキャストIDに従って、STAは、対応する受信間隔で、しかし、他のマルチキャストグループのマルチキャスト情報を受信することなく、STAが属するマルチキャストグループのマルチキャスト情報を受信でき、それによって、先行技術における、STAがビーコンフレームを受信した後にビーコンフレームの後の全てのマルチキャスト情報を受信する必要があるという課題を解決し、この課題によって引き起こされるSTAリソースの浪費を減少させる。
【０１９６】
図１２は、本発明のさらにもう１つの実施例によるAPの概要の構成図である。図１２に表わされているように、この実施例におけるAPは、メモリ１２０１および送信機１２０２を含む。
【０１９７】
メモリ１２０１は、送信されるべきマルチキャスト情報を有するマルチキャストグループのマルチキャスト情報を記憶するように構成される。
【０１９８】
送信機１２０２は、メモリ１２０１に接続され、DTIMビーコンフレームをSTAに送信し、送信されるべきマルチキャスト情報を有するマルチキャストグループのマルチキャスト識別子IDの順序に従って、予め設定された送信間隔で、送信されるべきマルチキャスト情報を有するマルチキャストグループのマルチキャスト情報を送信するように構成され、ここで、マルチキャスト情報はメモリ１２０１に記憶され、それによって、STAが属するマルチキャストグループに対応する受信間隔で、STAが属するマルチキャストグループのマルチキャスト情報をSTAが受信し、ここで、DTIMビーコンフレームは、送信されるべきマルチキャスト情報を有するマルチキャストグループを示すために使用される。
【０１９９】
この実施例において提供されるAPは、前述の実施例において提供されるマルチキャスト情報送信方法の対応する手順を実現するように構成され得る。APの詳細な動作原理はここではさらに説明されず、方法の実施例における説明が参照され得る。
【０２００】
この実施例におけるAPは、DTIMビーコンフレームをSTAに送信し、ここで、DTIMビーコンフレームは、送信されるべきマルチキャスト情報を有するマルチキャストグループを示す。そして、APは、送信されるべきマルチキャスト情報を有するマルチキャストグループのマルチキャストIDの順序に従って、各々の送信間隔で、マルチキャストグループのマルチキャスト情報を送信する。従って、STAは、STAが属するマルチキャストグループのマルチキャストIDに従って、対応する受信間隔で、しかし、他のマルチキャストグループのマルチキャスト情報を受信することなく、STAが属するマルチキャストグループのマルチキャスト情報を受信でき、それによって、先行技術における、STAがビーコンフレームを受信した後にビーコンフレームの後の全てのマルチキャスト情報を受信する必要があるという課題を解決し、この課題によって引き起こされるSTAリソースの浪費を減少させる。
【０２０１】
図１３は、本発明の実施例によるSTAの概要の構成図である。図１３に表わされているように、この実施例におけるSTAは、第５受信モジュール１３０１および第６受信モジュール１３０２を含む。
【０２０２】
第５受信モジュール１３０１は、APによって送信されるDTIMビーコンフレームを受信するように構成され、DTIMビーコンフレームは、送信されるべきマルチキャスト情報を有するマルチキャストグループを示すために使用される。
【０２０３】
第６受信モジュール１３０２は、第５受信モジュール１３０１に接続され、第５受信モジュール１３０１によって受信されるDTIMビーコンフレームによって示される、送信されるべきマルチキャスト情報を有するマルチキャストグループのマルチキャスト識別子IDのうちの、この実施例においてSTAが属するマルチキャストグループのマルチキャストIDの順序に従って、この実施例においてSTAが属するマルチキャストグループに対応する受信間隔で、この実施例においてSTAが属するマルチキャストグループのマルチキャスト情報をAPから受信するように構成される。
【０２０４】
任意選択の実現方法において、各々の受信間隔は、マルチキャスト情報の平均送信持続期間、または、ビーコンフレーム間隔である。
【０２０５】
任意選択の実現方法において、送信されるべきマルチキャスト情報を有する各々のマルチキャストグループのマルチキャストIDはAIDである。
【０２０６】
マルチキャストIDがAIDであることに基づいて、DTIMビーコンフレームは、次の方法で、送信されるべきマルチキャスト情報を有するマルチキャストグループを示し得る。送信されるべきマルチキャスト情報を有するマルチキャストグループを示すために、DTIMビーコンフレーム内の部分仮想ビットマップを使用すること。
【０２０７】
任意選択の実現方法において、図１４に表わされているように、この実施例におけるSTAは、第７受信モジュール１３０３をさらに含む。第７受信モジュール１３０３は、第５受信モジュール１３０１がDTIMビーコンフレームを受信する前に、この実施例においてSTAが属するマルチキャストグループのマルチキャストIDをAPから受信するように構成される。
【０２０８】
任意選択で、第７受信モジュール１３０３は、具体的には、APによって送信される管理フレームまたは制御フレームを受信するように構成され、ここで、管理フレームまたは制御フレームはこの実施例においてSTAが属するマルチキャストグループのマルチキャストIDを含み、管理フレームまたは制御フレームは新たに追加され得る、または、
第７受信モジュール１３０３は、具体的には、APによって送信される既存の管理フレームまたは既存の制御フレームまたは既存のデータフレームを受信するように構成され、ここで、既存の管理フレームまたは既存の制御フレームまたは既存のデータフレームにおける新たなIEはこの実施例においてSTAが属するマルチキャストグループのマルチキャストIDを含む。
【０２０９】
任意選択の実現方法において、図１４に表わされているように、この実施例におけるSTAは、第６送信モジュール１３０４をさらに含む。第６送信モジュール１３０４は、マルチキャストIDを要求するための情報をAPに送信するように構成される。従って、第７受信モジュール１３０３は、具体的には、この実施例においてSTAが属するマルチキャストグループのマルチキャストIDを受信するように構成され、ここで、マルチキャストIDは、第６送信モジュール１３０４によって送信される、マルチキャストIDを要求するための情報に従って、APによって送信される。任意選択で、第７受信モジュール１３０３は、第６送信モジュール１３０４に接続され、第６送信モジュール１３０４がマルチキャストIDを要求するための情報を送信した後に、この実施例においてSTAが属するマルチキャストグループのマルチキャストIDをAPから受信するように構成される。
【０２１０】
任意選択で、第６送信モジュール１３０４は、具体的には、マルチキャストIDを要求するための情報を要求メッセージにカプセル化し、その要求メッセージをAPに送信するように構成される、または、
第６送信モジュール１３０４は、具体的には、新たなIEを既存の制御フレームまたは既存の管理フレームまたは既存のデータフレームに追加し、マルチキャストIDを要求するための情報をその新たなIEにカプセル化し、既存の制御フレームまたは既存の管理フレームまたは既存のデータフレームをAPに送信するように構成される。
【０２１１】
任意選択の実現方法において、図１４に表わされているように、この実施例におけるSTAは、第７送信モジュール１３０５をさらに含む。第７送信モジュール１３０５は、第７受信モジュール１３０３がこの実施例においてSTAが属するマルチキャストグループのマルチキャストIDを受信した後に、肯定応答メッセージをAPに送信するように構成される。任意選択で、第７送信モジュール１３０５は、第７受信モジュール１３０３に接続される。
【０２１２】
任意選択の実現方法において、図１４に表わされているように、この実施例におけるSTAは、第８受信モジュール１３０６および第１更新モジュール１３０７をさらに含む。
【０２１３】
第８受信モジュール１３０６は、第７受信モジュール１３０３が、この実施例においてSTAが属するマルチキャストグループのマルチキャストIDをAPから受信した後に、APによって送信されるマルチキャストID変更メッセージを受信するように構成され、ここで、マルチキャストID変更メッセージは、この実施例においてSTAが属するマルチキャストグループの変更されたマルチキャストIDを含む。任意選択で、第８受信モジュール１３０６は、第７受信モジュール１３０３に接続される。
【０２１４】
第１更新モジュール１３０７は、第８受信モジュール１３０６に接続され、第８受信モジュール１３０６によって受信されるマルチキャストID変更メッセージに含まれる、この実施例においてSTAが属するマルチキャストグループの変更されたマルチキャストIDに従って、この実施例においてSTAが属するマルチキャストグループのマルチキャストIDを更新するように構成される。
【０２１５】
任意選択の実現方法において、図１４に表わされているように、この実施例におけるSTAは、第８送信モジュール１３０８をさらに含む。第８送信モジュール１３０８は、マルチキャストID変更要求をAPに送信するように構成される。従って、第８受信モジュール１３０６は、具体的には、APによってマルチキャストID変更要求に従って送信されるマルチキャストID変更メッセージを受信するように構成される。任意選択で、第８受信モジュール１３０６は、第８送信モジュール１３０８に接続され、第８送信モジュール１３０８がマルチキャストID変更要求を送信した後に、マルチキャストID変更メッセージをAPから受信するように構成される。
【０２１６】
任意選択の実現方法において、図１４に表わされているように、この実施例におけるSTAは、第９受信モジュール１３０９をさらに含む。第９受信モジュール１３０９は、第７受信モジュール１３０３がこの実施例においてSTAが属するマルチキャストグループのマルチキャストIDをAPから受信した後に、APによって送信されるマルチキャストID登録抹消メッセージを受信するように構成され、ここで、マルチキャストID登録抹消メッセージは、この実施例においてSTAが属するマルチキャストグループのマルチキャストIDを登録抹消する登録抹消指示を含む。任意選択で、第９受信モジュール１３０９は、第７受信モジュール１３０３に接続される。
【０２１７】
任意選択の実現方法において、図１４に表わされているように、この実施例におけるSTAは、第９送信モジュール１３１０をさらに含む。第９送信モジュール１３１０は、第７受信モジュール１３０３がこの実施例においてSTAが属するマルチキャストグループのマルチキャストIDをAPから受信した後に、マルチキャストID登録抹消要求をAPに送信するように構成され、それによって、APは、マルチキャストID登録抹消要求に従って、この実施例においてSTAが属するマルチキャストグループのマルチキャストIDを登録抹消する。任意選択で、第９送信モジュール１３１０は、第７受信モジュール１３０３に接続される。
【０２１８】
この実施例において提供されるSTAの機能モジュールは、前述の実施例において提供されるマルチキャスト情報受信方法の対応する手順を実現するように構成され得る。これらのモジュールの詳細な動作原理はここでは説明されず、方法の実施例における説明が参照され得る。
【０２１９】
この実施例におけるSTAは、前述の実施例において提供されるAPと協働し、APによって送信されるDTIMビーコンフレームを受信し、DTIMビーコンフレームによって示されるように、送信されるべきマルチキャスト情報を有するマルチキャストグループを知り、そして、STAは、送信されるべきマルチキャスト情報を有するマルチキャストグループのマルチキャストIDのうちの、STAが属するマルチキャストグループのマルチキャストIDの順序に従って、STAが属するマルチキャストグループに対応する受信間隔で、他のマルチキャストグループのマルチキャスト情報を受信することなく、それ自身のマルチキャスト情報をAPから受信し、それによって、先行技術における、STAがビーコンフレームを受信した後にビーコンフレームの後の全てのマルチキャスト情報を受信する必要があるという課題を解決し、この課題によって引き起こされるSTAリソースの浪費を減少させる。
【０２２０】
図１５は、本発明のさらにもう１つの実施例によるSTAの概要の構成図である。図１５に表わされているように、この実施例におけるSTAは、受信機１５０１およびメモリ１５０２を含む。
【０２２１】
受信機１５０１は、APによって送信されるDTIMビーコンフレームを受信し、送信されるべきマルチキャスト情報を有するマルチキャストグループのマルチキャスト識別子IDのうちの、この実施例においてSTAが属するマルチキャストグループのマルチキャストIDの順序に従って、この実施例においてSTAが属するマルチキャストグループに対応する受信間隔で、この実施例においてSTAが属するマルチキャストグループのマルチキャスト情報をAPから受信するように構成され、ここで、DTIMビーコンフレームは、送信されるべきマルチキャスト情報を有するマルチキャストグループを示すために使用される。
【０２２２】
メモリ１５０２は、受信機１５０１に接続され、この実施例においてSTAが属するマルチキャストグループのマルチキャスト情報を記憶するように構成され、ここで、マルチキャスト情報は、受信機１５０１によって受信される。
【０２２３】
この実施例において提供されるSTAは、前述の実施例において提供されるマルチキャスト情報受信方法の対応する手順を実現するように構成され得る。APの詳細な動作原理はここではさらに説明されず、方法の実施例における説明が参照され得る。
【０２２４】
この実施例におけるSTAは、前述の実施例において提供されるAPと協働し、APによって送信されるDTIMビーコンフレームを受信し、DTIMビーコンフレームによって示されるように、送信されるべきマルチキャスト情報を有するマルチキャストグループを知り、そして、STAは、送信されるべきマルチキャスト情報を有するマルチキャストグループのマルチキャストIDのうちの、STAが属するマルチキャストグループのマルチキャストIDの順序に従って、STAが属するマルチキャストグループに対応する受信間隔で、他のマルチキャストグループのマルチキャスト情報を受信することなく、それ自身のマルチキャスト情報をAPから受信し、それによって、先行技術における、STAがビーコンフレームを受信した後にビーコンフレームの後の全てのマルチキャスト情報を受信する必要があるという課題を解決し、この課題によって引き起こされるSTAリソースの浪費を減少させる。
【０２２５】
図１６は、本発明のさらにもう１つの実施例によるAPの概要の構成図である。図１６に表わされているように、この実施例におけるAPは、決定モジュール１６０１および第１０送信モジュール１６０２を含む。
【０２２６】
決定モジュール１６０１は、STAが属するマルチキャストグループのマルチキャストIDを決定するように構成され、ここで、STAが属するマルチキャストグループのマルチキャストIDはAIDにマッピングされる。
【０２２７】
第１０送信モジュール１６０２は、決定モジュール１６０１に接続され、STAが属するマルチキャストグループのマルチキャストIDをSTAに送信するように構成され、ここで、マルチキャストIDは、決定モジュール１６０１によって決定される。
【０２２８】
任意選択の実現方法において、決定モジュール１６０１は、具体的には、STAが属するマルチキャストグループのマルチキャストIDを１つのAIDにおけるいずれかのページ、ブロック、または、サブブロックにマッピングするように構成される、例えば、決定モジュール１６０１は、具体的には、STAが属するマルチキャストグループのマルチキャストIDを１つのAIDにおけるいずれかのページ、ブロック、および／または、サブブロックにマッピングするように構成される、または、決定モジュール１６０１は、具体的には、STAが属するマルチキャストグループのマルチキャストIDを１つのAIDにおける予め指定されたページ、ブロック、および／または、サブブロックにマッピングするように構成される、または、
決定モジュール１６０１は、具体的には、STAが属するマルチキャストグループのマルチキャストIDを少なくとも２つのAIDにおけるブロックおよびサブブロックにマッピングするように構成される、例えば、決定モジュール１６０１は、具体的には、STAが属するマルチキャストグループのマルチキャストIDを少なくとも２つのAIDにおける異なるページ、ブロック、および／または、サブブロックにマッピングするように構成される、または、決定モジュール１６０１は、具体的には、STAが属するマルチキャストグループのマルチキャストIDを少なくとも２つのAIDにおける同じページ、ブロック、および／または、サブブロックにマッピングするように構成される。
【０２２９】
任意選択の実現方法において、第１０送信モジュール１６０２は、具体的には、STAが属するマルチキャストグループのマルチキャストIDを管理フレームまたは制御フレームにカプセル化し、そのフレームをSTAに送信するように構成され、ここで、制御フレームまたは管理フレームは新たに追加され得る、または、
第１０送信モジュール１６０２は、具体的には、新たなIEを管理フレームまたは制御フレームまたはデータフレームに追加し、STAが属するマルチキャストグループのマルチキャストIDをその新たなIEにカプセル化し、管理フレームまたは制御フレームまたはデータフレームをSTAに送信するように構成され、ここで、管理フレーム、制御フレームまたはデータフレームは既存であり得る。
【０２３０】
任意選択の実現方法において、図１７に表わされているように、この実施例におけるAPは、第１０受信モジュール１６０３をさらに含む。第１０受信モジュール１６０３は、STAによって送信される、マルチキャストIDを要求するための情報を受信するように構成される。従って、第１０送信モジュール１６０２は、具体的には、第１０受信モジュール１６０３によって受信される、マルチキャストIDを要求するための情報に従って、STAが属するマルチキャストグループのマルチキャストIDをSTAに送信するように構成される。任意選択で、第１０送信モジュール１６０２は、また、第１０受信モジュール１６０３に接続される。
【０２３１】
任意選択で、第１０受信モジュール１６０３は、具体的には、STAによって送信される要求メッセージを受信するように構成され、ここで、要求メッセージはマルチキャストIDを要求するための情報を含む、または、
第１０受信モジュールは、具体的には、STAによって送信される既存の制御フレームまたは既存の管理フレームまたは既存のデータフレームを受信するように構成され、ここで、既存の制御フレームまたは既存の管理フレームまたは既存のデータフレームにおける新たな情報要素IEはマルチキャストIDを要求するための情報を含む。
【０２３２】
任意選択の実現方法において、図１７に表わされているように、この実施例におけるAPは、第１１受信モジュール１６０４をさらに含む。第１１受信モジュール１６０４は、第１０送信モジュール１６０２が、STAが属するマルチキャストグループのマルチキャストIDをSTAに送信した後に、肯定応答メッセージをSTAから受信するように構成される。任意選択で、第１１受信モジュール１６０４は、第１０送信モジュール１６０２に接続される。
【０２３３】
任意選択の実現方法において、図１７に表わされているように、この実施例におけるAPは、第１１送信モジュール１６０５をさらに含む。第１１送信モジュール１６０５は、第１０送信モジュール１６０２が、STAが属するマルチキャストグループのマルチキャストIDをSTAに送信した後に、マルチキャストID変更メッセージをSTAに送信するように構成され、ここで、マルチキャストID変更メッセージは、STAが属するマルチキャストグループの変更されたマルチキャストIDを含む。第１１送信モジュール１６０５は、第１０送信モジュール１６０２に接続される。
【０２３４】
任意選択の実現方法において、図１７に表わされているように、この実施例におけるAPは、第１２受信モジュール１６０６をさらに含む。第１２受信モジュール１６０６は、STAによって送信されるマルチキャストID変更要求を受信するように構成される。従って、第１１送信モジュール１６０５は、具体的には、第１２受信モジュール１６０６によって受信されるマルチキャストID変更要求に従って、マルチキャストID変更メッセージをSTAに送信するように構成される。第１１送信モジュール１６０５は、第１２受信モジュール１６０６に接続される。
【０２３５】
任意選択の実現方法において、図１７に表わされているように、この実施例におけるAPは、第１２送信モジュール１６０７をさらに含む。第１２送信モジュール１６０７は、第１０送信モジュール１６０２が、STAが属するマルチキャストグループのマルチキャストIDをSTAに送信した後に、マルチキャストID登録抹消メッセージをSTAに送信するように構成され、ここで、マルチキャストID登録抹消メッセージは、STAが属するマルチキャストグループのマルチキャストIDを登録抹消するマルチキャストID登録抹消指示を含む。任意選択で、第１２送信モジュール１６０７は、第１０送信モジュール１６０２に接続される。
【０２３６】
任意選択の実現方法において、図１７に表わされているように、この実施例におけるAPは、第１３受信モジュール１６０８および第２登録抹消モジュール１６０９をさらに含む。
【０２３７】
第１３受信モジュール１６０８は、第１０送信モジュール１６０２が、STAが属するマルチキャストグループのマルチキャストIDをSTAに送信した後に、マルチキャストID登録抹消要求をSTAから受信するように構成される。任意選択で、第１３受信モジュール１６０８は、第１０送信モジュール１６０２に接続される。
【０２３８】
第２登録抹消モジュール１６０９は、第１３受信モジュール１６０８に接続され、第１３受信モジュール１６０８によって受信されるマルチキャストID登録抹消要求に従って、STAが属するマルチキャストグループのマルチキャストIDを登録抹消するように構成される。
【０２３９】
この実施例において提供されるAPの機能モジュールは、前述の実施例において提供されるマルチキャスト識別子送信方法の対応する手順を実現するように構成され得る。これらのモジュールの詳細な動作原理はここではさらに説明されず、方法の実施例における説明が参照され得る。
【０２４０】
この実施例において提供されるAPは、AIDをマルチキャストグループのマルチキャストIDとして使用し、STAが属するマルチキャストグループのマルチキャストIDをSTAに送信し、それによって、STAは、STAが属するマルチキャストグループのマルチキャストIDを取得できる。従って、AIDリソースの豊富さのおかげで、先行技術における、FMS IDによってサポートされる制限された数のマルチキャスト周期によって引き起こされる制限されたマルチキャストアプリケーションの課題はある程度解決される。さらに、この実施例において提供されるAPは、AIDをマルチキャストグループのマルチキャストIDとして使用し、従って、マルチキャストIDとしての役割を果たすAIDは、STAとネゴシエーションする必要がなく直接に指定することができ、それによって、実現は比較的柔軟である。
【０２４１】
図１８は、本発明のさらにもう１つの実施例によるAPの概要の構成図である。図１８に表わされているように、この実施例におけるAPは、プロセッサ１８０１および送信機１８０２を含む。
【０２４２】
プロセッサ１８０１は、STAが属するマルチキャストグループのマルチキャスト識別子IDを決定するように構成され、ここで、STAが属するマルチキャストグループのマルチキャストIDはAIDにマッピングされる。
【０２４３】
送信機１８０２は、プロセッサ１８０１に接続され、STAが属するマルチキャストグループのマルチキャストIDをSTAに送信するように構成され、ここで、マルチキャストIDは、プロセッサ１８０１によって決定される。
【０２４４】
この実施例において提供されるAPは、前述の実施例において提供されるマルチキャスト識別子送信方法の対応する手順を実現するように構成され得る。APの詳細な動作原理はここではさらに説明されず、方法の実施例における説明が参照され得る。
【０２４５】
この実施例において提供されるAPは、AIDをマルチキャストグループのマルチキャストIDとして使用し、STAが属するマルチキャストグループのマルチキャストIDをSTAに送信し、それによって、STAは、STAが属するマルチキャストグループのマルチキャストIDを取得できる。従って、AIDリソースの豊富さのおかげで、先行技術における、FMS IDによってサポートされる制限された数のマルチキャスト周期によって引き起こされる制限されたマルチキャストアプリケーションの課題はある程度解決される。さらに、この実施例において提供されるAPは、AIDをマルチキャストグループのマルチキャストIDとして使用し、従って、マルチキャストIDとしての役割を果たすAIDは、STAとネゴシエーションする必要がなく直接に指定することができ、それによって、実現は比較的柔軟である。
【０２４６】
図１９は、本発明のさらにもう１つの実施例によるSTAの概要の構成図である。図１９に表わされているように、この実施例におけるSTAは、第１４受信モジュール１９０１および記憶モジュール１９０２を含む。
【０２４７】
第１４受信モジュール１９０１は、この実施例においてSTAが属するマルチキャストグループのマルチキャストIDをAPから受信するように構成され、ここで、この実施例においてSTAが属するマルチキャストグループのマルチキャストIDはAIDにマッピングされる。
【０２４８】
記憶モジュール１９０２は、第１４受信モジュール１９０１に接続され、この実施例においてSTAが属するマルチキャストグループのマルチキャストIDを記録するように構成され、ここで、マルチキャストIDは、第１４受信モジュール１９０１によって受信される。
【０２４９】
任意選択の実現方法において、第１４受信モジュール１９０１は、具体的には、APによって送信される管理フレームまたは制御フレームを受信するように構成され、ここで、管理フレームまたは制御フレームは、この実施例においてSTAが属するマルチキャストグループのマルチキャストIDを含み、管理フレームまたは制御フレームは新たに追加され得る、または、
第１４受信モジュール１９０１は、具体的には、APによって送信される既存の管理フレームまたは既存の制御フレームまたは既存のデータフレームを受信するように構成され、ここで、既存の管理フレームまたは既存の制御フレームまたは既存のデータフレームにおける新たなIEは、この実施例においてSTAが属するマルチキャストグループのマルチキャストIDを含む。
【０２５０】
任意選択の実現方法において、図２０に表わされているように、この実施例におけるSTAは、第１３送信モジュール１９０３をさらに含む。第１３送信モジュール１９０３は、マルチキャストIDを要求するための情報をAPに送信するように構成される。従って、第１４受信モジュール１９０１は、具体的には、この実施例においてSTAが属するマルチキャストグループのマルチキャストIDを受信するように構成され、ここで、マルチキャストIDは、マルチキャストIDを要求するための情報に従ってAPによって送信される。任意選択で、第１３送信モジュール１９０３は、第１４受信モジュール１９０１に接続される。
【０２５１】
任意選択で、第１３送信モジュール１９０３は、具体的には、マルチキャストIDを要求するための情報を要求メッセージにカプセル化し、その要求メッセージをAPに送信するように構成される、または、
第１３送信モジュール１９０３は、具体的には、新たなIEを既存の制御フレームまたは既存の管理フレームまたは既存のデータフレームに追加し、マルチキャストIDを要求するための情報をその新たなIEにカプセル化し、既存の制御フレームまたは既存の管理フレームまたは既存のデータフレームをAPに送信するように構成される。
【０２５２】
任意選択の実現方法において、図２０に表わされているように、この実施例におけるSTAは、第１４送信モジュール１９０４をさらに含む。第１４送信モジュール１９０４は、第１４受信モジュール１９０１が、この実施例においてSTAが属するマルチキャストグループのマルチキャスト識別子IDを受信した後に、肯定応答メッセージをAPに送信するように構成される。任意選択で、第１４送信モジュール１９０４は、第１４受信モジュール１９０１に接続される。
【０２５３】
任意選択の実現方法において、図２０に表わされているように、この実施例におけるSTAは、第１５受信モジュール１９０５および第２更新モジュール１９０６をさらに含む。
【０２５４】
第１５受信モジュール１９０５は、第１４受信モジュール１９０１が、この実施例においてSTAが属するマルチキャストグループのマルチキャスト識別子IDを受信した後に、APによって送信されるマルチキャストID変更メッセージを受信するように構成され、ここで、マルチキャストID変更メッセージは、この実施例においてSTAが属するマルチキャストグループの変更されたマルチキャストIDを含む。任意選択で、第１５受信モジュール１９０５は、第１４受信モジュール１９０１に接続される。
【０２５５】
第２更新モジュール１９０６は、第１５受信モジュール１９０５に接続され、第１５受信モジュール１９０５によって受信されるマルチキャストID変更メッセージに含まれる、この実施例においてSTAが属するマルチキャストグループの変更されたマルチキャストIDに従って、この実施例においてSTAが属するマルチキャストグループのマルチキャストIDを更新するように構成される。
【０２５６】
任意選択の実現方法において、図２０に表わされているように、この実施例におけるSTAは、第１５送信モジュール１９０７をさらに含む。第１５送信モジュール１９０７は、マルチキャストID変更要求をAPに送信するように構成される。従って、第１５受信モジュール１９０５は、具体的には、APによってマルチキャストID変更要求に従って送信されるマルチキャストID変更メッセージを受信するように構成される。任意選択で、第１５送信モジュール１９０７は、第１５受信モジュール１９０５に接続される。
【０２５７】
任意選択の実現方法において、図２０に表わされているように、この実施例におけるSTAは、第１６受信モジュール１９０８をさらに含む。第１６受信モジュール１９０８は、第１４受信モジュール１９０１が、この実施例においてSTAが属するマルチキャストグループのマルチキャスト識別子IDを受信した後に、APによって送信されるマルチキャストID登録抹消メッセージを受信するように構成され、ここで、マルチキャストID登録抹消メッセージは、この実施例においてSTAが属するマルチキャストグループのマルチキャストIDを登録抹消する登録抹消指示を含む。任意選択で、第１６受信モジュール１９０８は、第１４受信モジュール１９０１に接続される。
【０２５８】
任意選択の実現方法において、図２０に表わされているように、この実施例におけるSTAは、第１６送信モジュール１９０９をさらに含む。第１６送信モジュール１９０９は、第１４受信モジュール１９０１が、この実施例においてSTAが属するマルチキャストグループのマルチキャストIDを受信した後に、マルチキャストID登録抹消要求をAPに送信するように構成され、それによって、APは、マルチキャストID登録抹消要求に従って、この実施例においてSTAが属するマルチキャストグループのマルチキャストIDを登録抹消する。任意選択で、第１６送信モジュール１９０９は、第１４受信モジュール１９０１に接続される。
【０２５９】
この実施例において提供されるSTAの機能モジュールは、前述の実施例において提供されるマルチキャスト識別子受信方法の対応する手順を実現するように構成され得る。これらのモジュールの詳細な動作原理はここではさらに説明されず、方法の実施例における説明が参照され得る。
【０２６０】
この実施例において提供されるSTAは、前述の実施例において提供されるAPと協働し、AIDをマルチキャストグループのマルチキャストIDとして使用し、STAが属するマルチキャストグループのマルチキャストIDをAPから受信し、AIDリソースの豊富さを利用し、それによって、先行技術における、FMS IDによってサポートされる制限された数のマルチキャスト周期によって引き起こされる制限されたマルチキャストアプリケーションの課題はある程度解決される。さらに、この実施例において提供されるSTAは、APとネゴシエーションする必要がなく、AIDをマルチキャストグループのマルチキャストIDとして使用し、それによって、実現は比較的柔軟である。
【０２６１】
図２１は、本発明のさらにもう１つの実施例によるSTAの概要の構成図である。図２１に表わされているように、この実施例におけるSTAは、受信機２１０１およびメモリ２１０２を含む。
【０２６２】
受信機２１０１は、この実施例においてSTAが属するマルチキャストグループのマルチキャストIDをAPから受信するように構成され、ここで、この実施例においてSTAが属するマルチキャストグループのマルチキャストIDはAIDにマッピングされる。
【０２６３】
メモリ２１０２は、受信機２１０１に接続され、この実施例においてSTAが属するマルチキャストグループのマルチキャストIDを記録するように構成され、ここで、マルチキャストIDは、受信機２１０１によって受信される。
【０２６４】
この実施例において提供されるSTAは、前述の実施例において提供されるマルチキャスト識別子受信方法の対応する手順を実現するように構成され得る。APの詳細な動作原理はここではさらに説明されず、方法の実施例における説明が参照され得る。
【０２６５】
この実施例において提供されるSTAは、前述の実施例において提供されるAPと協働し、AIDをマルチキャストグループのマルチキャストIDとして使用し、STAが属するマルチキャストグループのマルチキャストIDをAPから受信し、AIDリソースの豊富さを利用し、それによって、先行技術における、FMS IDによってサポートされる制限された数のマルチキャスト周期によって引き起こされる制限されたマルチキャストアプリケーションの課題はある程度解決される。さらに、この実施例において提供されるSTAは、APとネゴシエーションする必要がなく、AIDをマルチキャストグループのマルチキャストIDとして使用し、それによって、実現は比較的柔軟である。
【０２６６】
第１の態様において、本発明の実施例は、配送トラフィック指示マップDTIMビーコンフレームをステーションSTAに送信するステップであって、前記DTIMビーコンフレームが、送信されるべきマルチキャスト情報を有するマルチキャストグループを示すために使用される、ステップと、
前記STAが属するマルチキャストグループに対応する受信間隔で、前記STAが属するマルチキャストグループのマルチキャスト情報を前記STAが受信するように、前記送信されるべきマルチキャスト情報を有するマルチキャストグループのマルチキャスト識別子IDの順序に従って、予め設定された送信間隔で、前記送信されるべきマルチキャスト情報を有するマルチキャストグループのマルチキャスト情報を送信するステップと、
を含むマルチキャスト情報送信方法を提供する。
【０２６７】
第１の態様の任意選択の実現方法において、配送トラフィック指示マップDTIMビーコンフレームをステーションSTAに送信する前記ステップの前に、
前記STAが属するマルチキャストグループのマルチキャストIDを前記STAに送信するステップをさらに有する。
【０２６８】
第１の態様の任意選択の実現方法において、前記STAが属するマルチキャストグループのマルチキャストIDを前記STAに送信する前記ステップの前に、
前記STAが属するマルチキャストグループのマルチキャストIDをアソシエーション識別子AIDにマッピングするステップを有する。
【０２６９】
第１の態様の任意選択の実現方法において、前記STAが属するマルチキャストグループのマルチキャストIDをAIDにマッピングする前記ステップは、
前記STAが属するマルチキャストグループのマルチキャストIDを１つのAIDにおけるページ、ブロック、または、サブブロックにマッピングするステップ、または、前記STAが属するマルチキャストグループのマルチキャストIDを少なくとも２つのAIDにおけるブロックおよびサブブロックにマッピングするステップを有する。
【０２７０】
第１の態様の任意選択の実現方法において、前記DTIMビーコンフレームが、送信されるべきマルチキャスト情報を有するマルチキャストグループを示すために使用されることは、
前記送信されるべきマルチキャスト情報を有するマルチキャストグループを示すために、前記DTIMビーコンフレーム内の部分仮想ビットマップを使用することを含む。
【０２７１】
第１の態様の任意選択の実現方法において、前記予め設定された送信間隔は、マルチキャスト情報の平均送信持続期間、または、ビーコンフレーム間隔である。
【０２７２】
第２の態様において、本発明の実施例は、ステーションSTAにより、無線アクセスポイントAPによって送信される配送トラフィック指示マップDTIMビーコンフレームを受信するステップであって、前記DTIMビーコンフレームが、送信されるべきマルチキャスト情報を有するマルチキャストグループを示すために使用される、ステップと、
前記STAにより、前記送信されるべきマルチキャスト情報を有するマルチキャストグループのマルチキャスト識別子IDのうちの、前記STAが属するマルチキャストグループのマルチキャストIDの順序に従って、前記STAが属するマルチキャストグループに対応する受信間隔で、前記STAが属するマルチキャストグループのマルチキャスト情報を前記APから受信するステップと、
を含むマルチキャスト情報受信方法を提供する。
【０２７３】
第２の態様の任意選択の実現方法において、前記受信間隔は、マルチキャスト情報の平均送信持続期間、または、ビーコンフレーム間隔である。
【０２７４】
第２の態様の任意選択の実現方法において、送信されるべきマルチキャスト情報を有する各々のマルチキャストグループのマルチキャストIDはアソシエーション識別子AIDである。
【０２７５】
第２の態様の任意選択の実現方法において、前記DTIMビーコンフレームが、送信されるべきマルチキャスト情報を有するマルチキャストグループを示すために使用されることは、
前記送信されるべきマルチキャスト情報を有するマルチキャストグループを示すために、前記DTIM内の部分仮想ビットマップを使用することを含む。
【０２７６】
第２の態様の任意選択の実現方法において、ステーションSTAにより、無線アクセスポイントAPによって送信される配送トラフィック指示マップDTIMビーコンフレームを受信する前記ステップの前に、
前記STAにより、前記STAが属するマルチキャストグループのマルチキャストIDを前記APから受信するステップを有する。
【０２７７】
第３の態様において、本発明の実施例は、ステーションSTAが属するマルチキャストグループのマルチキャスト識別子IDを決定するステップであって、前記STAが属するマルチキャストグループのマルチキャストIDはアソシエーション識別子AIDにマッピングされる、ステップと、
前記STAが属するマルチキャストグループのマルチキャストIDを前記STAに送信するステップと、
を含むマルチキャスト識別子送信方法を提供する。
【０２７８】
第３の態様の任意選択の実現方法において、前記STAが属するマルチキャストグループのマルチキャストIDをAIDにマッピングすることは、
前記STAが属するマルチキャストグループのマルチキャストIDを１つのAIDにおけるページ、ブロック、または、サブブロックにマッピングすること、または、前記STAが属するマルチキャストグループのマルチキャストIDを少なくとも２つのAIDにおけるブロックおよびサブブロックにマッピングすることを含む。
【０２７９】
第３の態様の任意選択の実現方法において、前記STAが属するマルチキャストグループのマルチキャストIDを前記STAに送信する前記ステップは、
前記STAが属するマルチキャストグループのマルチキャストIDを管理フレームまたは制御フレームにカプセル化し、前記フレームを前記STAに送信するステップ、または、
新たな情報要素IEを既存の管理フレームまたは既存の制御フレームまたは既存のデータフレームに追加し、前記STAが属するマルチキャストグループのマルチキャストIDを前記新たなIEにカプセル化し、前記既存の管理フレームまたは既存の制御フレームまたは既存のデータフレームを前記STAに送信するステップ
を有する。
【０２８０】
第３の態様の任意選択の実現方法において、前記STAが属するマルチキャストグループのマルチキャストIDを前記STAに送信する前記ステップは、
前記STAによって送信される前記マルチキャストIDを要求するための情報を受信するステップと、
前記マルチキャストIDを要求するための情報に従って、前記STAが属するマルチキャストグループのマルチキャストIDを前記STAに送信するステップと、
を有する。
【０２８１】
第３の態様の任意選択の実現方法において、前記STAによって送信される前記マルチキャストIDを要求するための情報を受信する前記ステップは、
前記STAによって送信される要求メッセージを受信するステップであって、前記要求メッセージは前記マルチキャストIDを要求するための情報を含む、ステップ、または、
前記STAによって送信される既存の制御フレームまたは既存の管理フレームまたは既存のデータフレームを受信するステップであって、前記既存の制御フレームまたは既存の管理フレームまたは既存のデータフレームにおける新たな情報要素IEは前記マルチキャストIDを要求するための情報を含む、ステップ
を有する。
【０２８２】
第３の態様の任意選択の実現方法において、前記STAが属するマルチキャストグループのマルチキャストIDを前記STAに送信する前記ステップの後に、
マルチキャストID登録抹消メッセージを前記STAに送信するステップであって、前記マルチキャストID登録抹消メッセージは前記STAが属するマルチキャストグループのマルチキャストIDを登録抹消する登録抹消指示を含む、ステップ
を有する。
【０２８３】
第４の態様において、本発明の実施例は、ステーションSTAにより、前記STAが属するマルチキャストグループのマルチキャスト識別子IDを無線アクセスポイントAPから受信するステップであって、前記STAが属するマルチキャストグループのマルチキャストIDはアソシエーション識別子AIDにマッピングされる、ステップと、
前記STAにより、前記STAが属するマルチキャストグループのマルチキャストIDを記録するステップと、
を含むマルチキャスト識別子受信方法を提供する。
【０２８４】
第４の態様の任意選択の実現方法において、ステーションSTAにより、前記STAが属するマルチキャストグループのマルチキャスト識別子IDを無線アクセスポイントAPから受信する前記ステップは、
前記STAにより、前記APによって送信される管理フレームまたは制御フレームを受信するステップであって、前記管理フレームまたは制御フレームは前記STAが属するマルチキャストグループのマルチキャストIDを含む、ステップ、または、
前記STAにより、前記APによって送信される既存の管理フレームまたは既存の制御フレームまたは既存のデータフレームを受信するステップであって、前記既存の管理フレームまたは既存の制御フレームまたは既存のデータフレームにおける新たな情報要素IEは前記STAが属するマルチキャストグループのマルチキャストIDを含む、ステップ
を有する。
【０２８５】
第４の態様の任意選択の実現方法において、ステーションSTAにより、前記STAが属するマルチキャストグループのマルチキャスト識別子IDを無線アクセスポイントAPから受信する前記ステップは、
前記STAにより、前記マルチキャストIDを要求するための情報を前記APに送信するステップと、
前記STAにより、前記STAが属するマルチキャストグループのマルチキャストIDを受信するステップであって、前記マルチキャストIDは前記マルチキャストIDを要求するための情報に従って前記APによって送信される、ステップと、
を有する。
【０２８６】
第４の態様の任意選択の実現方法において、前記STAにより、前記マルチキャストIDを要求するための情報を前記APに送信する前記ステップは、
前記STAにより、前記マルチキャストIDを要求するための情報を要求メッセージにカプセル化し、前記要求メッセージを前記APに送信するステップ、または、
前記STAにより、新たな情報要素IEを既存の制御フレームまたは既存の管理フレームまたは既存のデータフレームに追加し、前記マルチキャストIDを要求するための情報を前記新たなIEにカプセル化し、前記既存の制御フレームまたは既存の管理フレームまたは既存のデータフレームを前記APに送信するステップ
を有する。
【０２８７】
第５の態様において、本発明の実施例は、無線アクセスポイントAPであって、
配送トラフィック指示マップDTIMビーコンフレームをステーションSTAに送信するように構成された第１送信モジュールであって、前記DTIMビーコンフレームが、送信されるべきマルチキャスト情報を有するマルチキャストグループを示すために使用される、第１送信モジュールと、
前記STAが属するマルチキャストグループに対応する受信間隔で、前記STAが属するマルチキャストグループのマルチキャスト情報を前記STAが受信するように、前記送信されるべきマルチキャスト情報を有するマルチキャストグループのマルチキャスト識別子IDの順序に従って、予め設定された送信間隔で、前記送信されるべきマルチキャスト情報を有するマルチキャストグループのマルチキャスト情報を送信するように構成された第２送信モジュールと、
を含むAPを提供する。
【０２８８】
第５の態様の任意選択の実現方法において、前記第１送信モジュールが前記DTIMビーコンフレームを前記STAに送信する前に、前記STAが属するマルチキャストグループのマルチキャストIDを前記STAに送信するように構成された第３送信モジュールをさらに備える。
【０２８９】
第５の態様の任意選択の実現方法において、前記第３送信モジュールが、前記STAが属するマルチキャストグループのマルチキャストIDを前記STAに送信する前に、前記STAが属するマルチキャストグループのマルチキャストIDをアソシエーション識別子AIDにマッピングするように構成されたマッピングモジュールをさらに備える。
【０２９０】
第５の態様の任意選択の実現方法において、前記マッピングモジュールが、前記STAが属するマルチキャストグループのマルチキャストIDをアソシエーション識別子AIDにマッピングするように構成されることは、
前記マッピングモジュールにより、前記STAが属するマルチキャストグループのマルチキャストIDを１つのAIDにおけるページ、ブロック、または、サブブロックにマッピングすること、または、前記STAが属するマルチキャストグループのマルチキャストIDを少なくとも２つのAIDにおけるブロックおよびサブブロックにマッピングすることを含む。
【０２９１】
第５の態様の任意選択の実現方法において、前記DTIMビーコンフレームが、送信されるべきマルチキャスト情報を有するマルチキャストグループを示すために使用されることは、
前記送信されるべきマルチキャスト情報を有するマルチキャストグループを示すために、前記DTIMビーコンフレーム内の部分仮想ビットマップを使用することを含む。
【０２９２】
第６の態様において、本発明の実施例は、ステーションSTAであって、
無線アクセスポイントAPによって送信される配送トラフィック指示マップDTIMビーコンフレームを受信するように構成された第５受信モジュールであって、前記DTIMビーコンフレームが、送信されるべきマルチキャスト情報を有するマルチキャストグループを示すために使用される、第５受信モジュールと、
前記送信されるべきマルチキャスト情報を有するマルチキャストグループのマルチキャスト識別子IDのうちの、前記STAが属するマルチキャストグループのマルチキャストIDの順序に従って、前記STAが属するマルチキャストグループに対応する受信間隔で、前記STAが属するマルチキャストグループのマルチキャスト情報を前記APから受信するように構成された第６受信モジュールと、
を含むSTAを提供する。
【０２９３】
第６の態様の任意選択の実現方法において、前記受信間隔は、マルチキャスト情報の平均送信持続期間、または、ビーコンフレーム間隔である。
【０２９４】
第６の態様の任意選択の実現方法において、送信されるべきマルチキャスト情報を有する各々のマルチキャストグループのマルチキャストIDはアソシエーション識別子AIDである。
【０２９５】
第６の態様の任意選択の実現方法において、前記DTIMビーコンフレームが、送信されるべきマルチキャスト情報を有するマルチキャストグループを示すために使用されることは、
前記送信されるべきマルチキャスト情報を有するマルチキャストグループを示すために、前記DTIMビーコンフレーム内の部分仮想ビットマップを使用することを含む。
【０２９６】
第６の態様の任意選択の実現方法において、前記第５受信モジュールが前記DTIMビーコンフレームを受信する前に、前記STAが属するマルチキャストグループのマルチキャストIDを前記APから受信するように構成された第７受信モジュールをさらに備える。
【０２９７】
第７の態様において、本発明の実施例は、無線アクセスポイントAPであって、
ステーションSTAが属するマルチキャストグループのマルチキャスト識別子IDを決定するように構成された決定モジュールであって、前記STAが属するマルチキャストグループのマルチキャストIDはアソシエーション識別子AIDにマッピングされる、決定モジュールと、
前記STAが属するマルチキャストグループのマルチキャストIDを前記STAに送信するように構成された第１０送信モジュールと、
を含むAPを提供する。
【０２９８】
第７の態様の任意選択の実現方法において、前記決定モジュールが、前記STAが属するマルチキャストグループのマルチキャストIDをAIDにマッピングするように構成されることは、
前記決定モジュールが、特に、前記STAが属するマルチキャストグループのマルチキャストIDを１つのAIDにおけるいずれかのページ、ブロック、または、サブブロックにマッピングする、または、前記STAが属するマルチキャストグループのマルチキャストIDを少なくとも２つのAIDにおけるブロックおよびサブブロックにマッピングするように構成されることを含む。
【０２９９】
第７の態様の任意選択の実現方法において、前記第１０送信モジュールは、特に、前記STAが属するマルチキャストグループのマルチキャストIDを管理フレームまたは制御フレームにカプセル化し、前記フレームを前記STAに送信するように構成され、または、
前記第１０送信モジュールは、特に、新たな情報要素IEを管理フレームまたは制御フレームまたはデータフレームに追加し、前記STAが属するマルチキャストグループのマルチキャストIDを前記新たなIEにカプセル化し、前記管理フレームまたは制御フレームまたはデータフレームを前記STAに送信するように構成される。
【０３００】
第７の態様の任意選択の実現方法において、前記STAによって送信される前記マルチキャストIDを要求するための情報を受信するように構成された第１０受信モジュールをさらに備え、
前記第１０送信モジュールは、特に、前記マルチキャストIDを要求するための情報に従って、前記STAが属するマルチキャストグループのマルチキャストIDを前記STAに送信するように構成される。
【０３０１】
第７の態様の任意選択の実現方法において、前記第１０受信モジュールは、特に、前記STAによって送信される要求メッセージを受信するように構成され、前記要求メッセージは前記マルチキャストIDを要求するための情報を含む、または、
前記第１０受信モジュールは、特に、前記STAによって送信される既存の制御フレームまたは既存の管理フレームまたは既存のデータフレームを受信するように構成され、前記既存の制御フレームまたは既存の管理フレームまたは既存のデータフレームにおける新たな情報要素IEは前記マルチキャストIDを要求するための情報を含む。
【０３０２】
第７の態様の任意選択の実現方法において、前記第１０送信モジュールが、前記STAが属するマルチキャストグループのマルチキャストIDを前記STAに送信した後に、マルチキャストID登録抹消メッセージを前記STAに送信するように構成された第１２送信モジュールであって、前記マルチキャストID登録抹消メッセージは前記STAが属するマルチキャストグループのマルチキャストIDを登録抹消する登録抹消指示を含む、第１２送信モジュールをさらに備える。
【０３０３】
第８の態様において、本発明の実施例は、ステーションSTAであって、
前記STAが属するマルチキャストグループのマルチキャスト識別子IDを無線アクセスポイントAPから受信するように構成された第１４受信モジュールであって、前記STAが属するマルチキャストグループのマルチキャストIDはアソシエーション識別子AIDにマッピングされる、第１４受信モジュールと、
前記STAが属するマルチキャストグループのマルチキャストIDを記録するように構成された記憶モジュールと、
を含むSTAを提供する。
【０３０４】
第８の態様の任意選択の実現方法において、前記第１４受信モジュールは、特に、前記APによって送信される管理フレームまたは制御フレームを受信するように構成され、前記管理フレームまたは制御フレームは前記STAが属するマルチキャストグループのマルチキャストIDを含む、または、
前記第１４受信モジュールは、特に、前記APによって送信される既存の管理フレームまたは既存の制御フレームまたは既存のデータフレームを受信するように構成され、前記既存の管理フレームまたは既存の制御フレームまたは既存のデータフレームにおける新たな情報要素IEは前記STAが属するマルチキャストグループのマルチキャストIDを含む。
【０３０５】
第８の態様の任意選択の実現方法において、前記マルチキャストIDを要求するための情報を前記APに送信するように構成された第１３送信モジュールをさらに備え、
前記第１４受信モジュールは、特に、前記STAが属するマルチキャストグループのマルチキャストIDを受信するように構成され、前記マルチキャストIDは前記マルチキャストIDを要求するための情報に従って前記APによって送信される。
【０３０６】
第８の態様の任意選択の実現方法において、前記第１３送信モジュールは、特に、前記マルチキャストIDを要求するための情報を要求メッセージにカプセル化し、前記要求メッセージを前記APに送信するように構成され、または、
前記第１３送信モジュールは、特に、新たな情報要素IEを既存の制御フレームまたは既存の管理フレームまたは既存のデータフレームに追加し、前記マルチキャストIDを要求するための情報を前記新たなIEにカプセル化し、前記既存の制御フレームまたは既存の管理フレームまたは既存のデータフレームを前記APに送信するように構成される。
【０３０７】
第８の態様の任意選択の実現方法において、前記第１４受信モジュールが、前記STAが属するマルチキャストグループのマルチキャストIDを受信した後に、前記APによって送信されるマルチキャストID変更メッセージを受信するように構成された第１５受信モジュールであって、前記マルチキャストID変更メッセージは前記STAが属するマルチキャストグループの変更されたマルチキャストIDを含む、第１５受信モジュールと、
前記マルチキャストID変更メッセージに含まれる、前記STAが属するマルチキャストグループの変更されたマルチキャストIDに従って、前記STAが属するマルチキャストグループのマルチキャストIDを更新するように構成された第２更新モジュールと、
をさらに備える。
【０３０８】
第８の態様の任意選択の実現方法において、前記第１４受信モジュールが、前記STAが属するマルチキャストグループのマルチキャストIDを受信した後に、前記APによって送信されるマルチキャストID登録抹消メッセージを受信するように構成された第１６受信モジュールであって、前記マルチキャストID登録抹消メッセージは前記STAが属するマルチキャストグループのマルチキャストIDを登録抹消する登録抹消指示を含む、第１６受信モジュールをさらに備える。
【０３０９】
この技術分野の当業者は、前述の方法の実施例のステップの全部または一部は、プログラムが命令する関連ハードウェアによって実現され得ることを理解し得る。このプログラムは、コンピュータ読み取り可能な記憶媒体に記憶され得る。このプログラムを実行するとき、前述の方法の実施例のステップが実行される。上記の記憶媒体は、ＲＯＭ、ＲＡＭ、磁気ディスク、または光ディスクのようなプログラムコードを記憶できる各種の媒体を含む。
【０３１０】
最後に、前述の実施例は、本発明を限定するのではなく、本発明の技術的解決手段を記載するために意図されるに過ぎないことに留意すべきである。前述の実施例を参照して本発明が詳細に記載されているが、この技術分野の当業者は、変更または置換が、対応する技術的解決手段の要旨を、本発明の実施例の技術的解決手段の思想および範囲から逸脱させない限り、前述の実施例に記載された技術的解決手段にさらに変更し得る、または、それらの技術的特徴のいくつかまたは全てに等価な置換を行い得ることを理解すべきである。
【符号の説明】
【０３１１】
１００１  第１送信モジュール
１００２  第２送信モジュール
１００３  第３送信モジュール
１００４  マッピングモジュール
１００５  第１受信モジュール
１００６  第２受信モジュール
１００７  第４送信モジュール
１００８  第３受信モジュール
１００９  第５送信モジュール
１０１０  第４受信モジュール
１０１１  第１登録抹消モジュール
１２０１  メモリ
１２０２  送信機
１３０１  第５受信モジュール
１３０２  第６受信モジュール
１３０３  第７受信モジュール
１３０４  第６送信モジュール
１３０５  第７送信モジュール
１３０６  第８受信モジュール
１３０７  第１更新モジュール
１３０８  第８送信モジュール
１３０９  第９受信モジュール
１３１０  第９送信モジュール
１５０１  受信機
１５０２  メモリ
１６０１  決定モジュール
１６０２  第１０送信モジュール
１６０３  第１０受信モジュール
１６０４  第１１受信モジュール
１６０５  第１１送信モジュール
１６０６  第１２受信モジュール
１６０７  第１２送信モジュール
１６０８  第１３受信モジュール
１６０９  第２登録抹消モジュール
１８０１  プロセッサ
１８０２  送信機
１９０１  第１４受信モジュール
１９０２  記憶モジュール
１９０３  第１３送信モジュール
１９０４  第１４送信モジュール
１９０５  第１５受信モジュール
１９０６  第２更新モジュール
１９０７  第１５送信モジュール
１９０８  第１６受信モジュール
１９０９  第１６送信モジュール
２１０１  受信機
２１０２  メモリ
【図１】
0006040465.tif 000002
【図２】
0006040465.tif 000003
【図３】
0006040465.tif 000004
【図４】
0006040465.tif 000005
【図５】
0006040465.tif 000006
【図６】
0006040465.tif 000007
【図７】
0006040465.tif 000008
【図８】
0006040465.tif 000009
【図９】
0006040465.tif 000010
【図１０】
0006040465.tif 000011
【図１１】
0006040465.tif 000012
【図１２】
0006040465.tif 000013
【図１３】
0006040465.tif 000014
【図１４】
0006040465.tif 000015
【図１５】
0006040465.tif 000016
【図１６】
0006040465.tif 000017
【図１７】
0006040465.tif 000018
【図１８】
0006040465.tif 000019
【図１９】
0006040465.tif 000020
【図２０】
0006040465.tif 000021
【図２１】
0006040465.tif 000022